(57)【要約】【課題】見る角度によって見え方が変化するチェンジング効果を有する高精細かつ繊細で見た目が綺麗なシルクスクリーン印刷図画がインキを利用したシルクスクリーン印刷によって印刷された箱を提供する。【解決手段】箱１０は、その印刷面にオフセット印刷によって印刷されたオフセット印刷図画２４と、オフセット印刷図画２４が印刷された印刷面にシルクスクリーン印刷によって印刷されたシルクスクリーン印刷図画２５とを有する。シルクスクリーン印刷図画２５は、任意の方向へ延びるとともに所定の方向へ所定間隔離間対向して並ぶ極細の複数の短線の集合によって画成され、それら短線が印刷面から凸状に弧を画き、それら短線が異なる方向へ光を反射することで見る角度によって見え方が変化するチェンジング効果を有する。【選択図】図１
2020104297.tif 000002
【特許請求の範囲】
【請求項１】
展開された箱用ブランクを組み立てることによって作られた所定形状の箱において、
前記箱が、前記箱用ブランクの印刷面にオフセット印刷によって印刷されたオフセット印刷図画と、前記オフセット印刷図画が印刷された印刷面にシルクスクリーン印刷によって印刷されたシルクスクリーン印刷図画とを有し、
前記シルクスクリーン印刷図画が、任意の方向へ延びるとともに所定の方向へ所定間隔離間対向して並ぶ極細の複数の短線の集合によって画成され、
前記シルクスクリーン印刷図画は、それら短線が前記印刷面から凸状に弧を画き、それら短線が異なる方向へ光を反射することで見る角度によって見え方が変化するチェンジング効果を有することを特徴とする箱。
【請求項２】
前記極細の複数の短線の集合によって画成された同一の態様の複数の前記シルクスクリーン印刷図と該極細の複数の短線の集合によって画成された異なる態様の複数の該シルクスクリーン印刷図画とのうちの少なくとも一方が、前記所定の方向へ並んだ状態で前記印刷面に印刷されている請求項１に記載の箱。
【請求項３】
前記シルクスクリーン印刷図画が、前記オフセット印刷図画を印刷した印刷面を除く残余の印刷面に印刷され、又は、前記オフセット印刷図画を印刷した印刷面において該オフセット印刷図画に重ねて印刷され、前記オフセット印刷図画が、前記シルクスクリーン印刷図画に囲繞されている請求項１又は請求項２に記載の箱。
【請求項４】
前記複数の短線が、仮想基準線に対して所定角度を有して前記所定の方向へ交差せずに離間対向して延びる複数の直線と、前記仮想基準線に対して所定角度を有して前記所定の方向へ交差せずに離間対向して延びる複数の曲線とのうちの少なくとも一方であり、前記短線の長さ寸法が、０．１〜２０ｍｍの範囲にあり、隣接する前記短線どうしの離間寸法が、３０〜２００μｍの範囲にあり、前記短線の線太さが、５〜１５０μｍの範囲にあり、前記印刷面から凸状に弧を画く前記短線の最大高さが、５〜２００μｍの範囲にある請求項１ないし請求項３いずれかに記載の箱。
【請求項５】
前記短線の線太さが、前記所定の方向へ向かうにつれて次第に増加し又は次第に減少している請求項１ないし請求項４いずれかに記載の箱。
【請求項６】
前記短線の最大高さが、前記所定の方向へ向かうにつれて次第に増加し又は次第に減少している請求項１ないし請求項５いずれかに記載の箱。
【請求項７】
前記短線の長さ寸法が、前記所定の方向へ向かうにつれて次第に増加し又は次第に減少している請求項１ないし請求項６いずれかに記載の箱。
【請求項８】
隣接する前記短線どうしの離間寸法が、前記所定の方向へ向かうにつれて次第に増加し又は次第に減少している請求項１ないし請求項７いずれかに記載の箱。
【請求項９】
粘着面及び印刷面を有して所定の箇所に貼付される所定形状のラベル又は包材の一部として使用される所定形状の台紙において、
前記ラベル及び前記台紙が、その印刷面にオフセット印刷によって印刷されたオフセット印刷図画と、前記オフセット印刷図画が印刷された印刷面にシルクスクリーン印刷によって印刷されたシルクスクリーン印刷図画とを有し、
前記シルクスクリーン印刷図画が、任意の方向へ延びるとともに所定の方向へ所定間隔離間対向して並ぶ極細の複数の短線の集合によって画成され、
前記シルクスクリーン印刷図画は、それら短線が前記印刷面から凸状に弧を画き、それら短線が異なる方向へ光を反射することで見る角度によって見え方が変化するチェンジング効果を有することを特徴とするラベル又は台紙。
【請求項１０】
前記極細の複数の短線の集合によって画成された同一の態様の複数の前記シルクスクリーン印刷図と該極細の複数の短線の集合によって画成された異なる態様の複数の該シルクスクリーン印刷図画とのうちの少なくとも一方が、前記所定の方向へ並んだ状態で前記印刷面に印刷されている請求項９に記載のラベル又は台紙。
【請求項１１】
前記シルクスクリーン印刷図画が、前記オフセット印刷図画を印刷した印刷面を除く残余の印刷面に印刷され、又は、前記オフセット印刷図画を印刷した印刷面において該オフセット印刷図画に重ねて印刷され、前記オフセット印刷図画が、前記シルクスクリーン印刷図画に囲繞されている請求項９又は請求項１０に記載のラベル又は台紙。
【請求項１２】
前記複数の短線が、仮想基準線に対して所定角度を有して前記所定の方向へ交差せずに離間対向して延びる複数の直線と、前記仮想基準線に対して所定角度を有して前記所定の方向へ交差せずに離間対向して延びる複数の曲線とのうちの少なくとも一方であり、前記短線の長さ寸法が、０．１〜２０ｍｍの範囲にあり、隣接する前記短線どうしの離間寸法が、３０〜２００μｍの範囲にあり、前記短線の線太さが、５〜１５０μｍの範囲にあり、前記印刷面から凸状に弧を画く前記短線の最大高さが、５〜２００μｍの範囲にある請求項９ないし請求項１１いずれかに記載のラベル又は台紙。
【請求項１３】
前記短線の線太さが、前記所定の方向へ向かうにつれて次第に増加し又は次第に減少している請求項９ないし請求項１２いずれかに記載のラベル又は台紙。
【請求項１４】
前記短線の最大高さが、前記所定の方向へ向かうにつれて次第に増加し又は次第に減少している請求項９ないし請求項１３いずれかに記載のラベル又は台紙。
【請求項１５】
前記短線の長さ寸法が、前記所定の方向へ向かうにつれて次第に増加し又は次第に減少している請求項９ないし請求項１４いずれかに記載のラベル又は台紙。
【請求項１６】
隣接する前記短線どうしの離間寸法が、前記所定の方向へ向かうにつれて次第に増加し又は次第に減少している請求項９ないし請求項１５いずれかに記載のラベル又は台紙。
【発明の詳細な説明】
【技術分野】
【０００１】
本発明は、展開された箱用ブランクを組み立てることによって作られた所定形状の箱に関するとともに、粘着面及び印刷面を有して所定の箇所に貼付される所定形状のラベル又は包材の一部として使用される所定形状の台紙に関する。
【背景技術】
【０００２】
互いに重なることのない直線又は曲線の配列による線画の各線の長さ、間隔、線幅又は角度を変化させることによって複数のパターン線画を形成するとともに、それらパターン線画を組み合わせた絵柄を印刷基材の全面にインクを用いた印刷によって断面山形状の線画として形成したことにより、印刷基材の絵柄の視認性が見る角度によって変化するようにしたチェンジング画像印刷物が開示されている（特許文献１参照）。前記特許文献１に開示のチェンジング画像印刷物は、破線形状を構成する短線が線画の構成要素になり、各短線を非常に微細に描いた場合でも、複数の連続的な直線を用いたり、直線を交差したりする構成とは異なり、印刷のためのインキが潰れたりする現象が生じ難く、各短線が均一な形状で整然と形成され、見る角度によって変化する絵柄が非常に繊細な視認性で目視可能となる。
【先行技術文献】
【特許文献】
【０００３】
【特許文献１】特開２０１５−１２０３２８号公報
【発明の概要】
【発明が解決しようとする課題】
【０００４】
見る角度によって見え方が変化するチェンジング印刷物には、前記特許文献１に開示のチェンジング画像印刷物の他に、ホログラム印刷によって作成されたホログラム印刷物やレンチキュラー印刷によって作成されたレンチキュラー印刷物がある。しかし、ホログラム印刷物を作成するには、印刷する紙にホログラムフィルムを貼着するホロラミ加工やホログラムを印刷物に転写させるトランスタバック加工を行う。レンチキュラー印刷物を作成するには、レンチキュラーレンズを印刷物に貼着し、又は、レンチキュラーレンズの裏面に直に印刷する。したがって、インキを利用した従来の印刷方法によってそれらの印刷物を作成することはできない。
【０００５】
本発明の目的は、見る角度によって見え方が変化するチェンジング効果を有する高精細かつ繊細で見た目が綺麗なシルクスクリーン印刷図画がインキを利用したシルクスクリーン印刷によって印刷され、見る者に好印象を与えることが可能であって見る者を引き付けることが可能な箱を提供することにある。本発明の他の目的は、印刷面を目立たせることが可能であって商品の購買意欲を掻き立てることができる箱を提供することにある。本発明の他の目的は、チェンジング効果を有するシルクスクリーン印刷図画とともにオフセット印刷によって印刷されたオフセット印刷図画を備え、シルクスクリーン印刷図画のチェンジング効果による目の錯覚を利用してオフセット印刷図画を際立たせることができ、見る者にオフセット印刷図画を鮮明かつ明確に認識させることが可能な箱を提供することにある。
【０００６】
本発明の目的は、見る角度によって見え方が変化するチェンジング効果を有する高精細かつ繊細で見た目が綺麗なシルクスクリーン印刷図画がインキを利用したシルクスクリーン印刷によって印刷され、見る者に好印象を与えることが可能であって見る者を引き付けることが可能なラベル又は台紙を提供することにある。本発明の他の目的は、印刷面を目立たせることが可能であって商品の購買意欲を掻き立てることができるラベル又は台紙を提供することにある。本発明の他の目的は、チェンジング効果を有するシルクスクリーン印刷図画とともにオフセット印刷によって印刷されたオフセット印刷図画を備え、シルクスクリーン印刷図画のチェンジング効果による目の錯覚を利用してオフセット印刷図画を際立たせることができ、見る者にオフセット印刷図画を鮮明かつ明確に認識させることが可能なラベル又は台紙を提供することにある。
【課題を解決するための手段】
【０００７】
前記課題を解決するための本発明の第１の前提は、展開された箱用ブランクを組み立てることによって作られた所定形状の箱である。
【０００８】
前記前提における本発明の箱の特徴としては、箱が、箱用ブランクの印刷面にオフセット印刷によって印刷されたオフセット印刷図画と、オフセット印刷図画が印刷された印刷面にシルクスクリーン印刷によって印刷されたシルクスクリーン印刷図画とを有し、シルクスクリーン印刷図画が、任意の方向へ延びるとともに所定の方向へ所定間隔離間対向して並ぶ極細の複数の短線の集合によって画成され、シルクスクリーン印刷図画は、それら短線が印刷面から凸状に弧を画き、それら短線が異なる方向へ光を反射することで見る角度によって見え方が変化するチェンジング効果を有することにある。
【０００９】
本発明の箱の一例としては、極細の複数の短線の集合によって画成された同一の態様の複数のシルクスクリーン印刷図と極細の複数の短線の集合によって画成された異なる態様の複数のシルクスクリーン印刷図画とのうちの少なくとも一方が、所定の方向へ並んだ状態で印刷面に印刷されている。
【００１０】
本発明の箱の他の一例としては、シルクスクリーン印刷図画が、オフセット印刷図画を印刷した印刷面を除く残余の印刷面に印刷され、又は、オフセット印刷図画を印刷した印刷面においてオフセット印刷図画に重ねて印刷され、オフセット印刷図画が、シルクスクリーン印刷図画に囲繞されている。
【００１１】
本発明の箱の他の一例としては、複数の短線が、仮想基準線に対して所定角度を有して所定の方向へ交差せずに離間対向して延びる複数の直線と、仮想基準線に対して所定角度を有して所定の方向へ交差せずに離間対向して延びる複数の曲線とのうちの少なくとも一方であり、短線の長さ寸法が、０．１〜２０ｍｍの範囲にあり、隣接する短線どうしの離間寸法が、３０〜２００μｍの範囲にあり、短線の線太さが、５〜１５０μｍの範囲にあり、印刷面から凸状に弧を画く短線の最大高さが、５〜２００μｍの範囲にある。
【００１２】
本発明の箱の他の一例としては、短線の線太さが、所定の方向へ向かうにつれて次第に増加し又は次第に減少している。
【００１３】
本発明の箱の他の一例としては、短線の最大高さが、所定の方向へ向かうにつれて次第に増加し又は次第に減少している。
【００１４】
本発明の箱の他の一例としては、短線の長さ寸法が、所定の方向へ向かうにつれて次第に増加し又は次第に減少している。
【００１５】
本発明の箱の他の一例としては、隣接する短線どうしの離間寸法が、所定の方向へ向かうにつれて次第に増加し又は次第に減少している。
【００１６】
前記課題を解決するための本発明の第２の前提は、粘着面及び印刷面を有して所定の箇所に貼付される所定形状のラベル及び包材の一部として使用される所定形状の台紙である。
【００１７】
前記前提における本発明のラベル又は台紙の特徴としては、ラベル及び台紙が、その印刷面にオフセット印刷によって印刷されたオフセット印刷図画と、オフセット印刷図画が印刷された印刷面にシルクスクリーン印刷によって印刷されたシルクスクリーン印刷図画とを有し、シルクスクリーン印刷図画が、任意の方向へ延びるとともに所定の方向へ所定間隔離間対向して並ぶ極細の複数の短線の集合によって画成され、シルクスクリーン印刷図画は、それら短線が印刷面から凸状に弧を画き、それら短線が異なる方向へ光を反射することで見る角度によって見え方が変化するチェンジング効果を有することにある。
【００１８】
本発明のラベル又は台紙の一例としては、極細の複数の短線の集合によって画成された同一の態様の複数のシルクスクリーン印刷図と極細の複数の短線の集合によって画成された異なる態様の複数のシルクスクリーン印刷図画とのうちの少なくとも一方が、所定の方向へ並んだ状態で印刷面に印刷されている。
【００１９】
本発明のラベル又は台紙の他の一例としては、シルクスクリーン印刷図画が、オフセット印刷図画を印刷した印刷面を除く残余の印刷面に印刷され、又は、オフセット印刷図画を印刷した印刷面においてオフセット印刷図画に重ねて印刷され、オフセット印刷図画が、シルクスクリーン印刷図画に囲繞されている。
【００２０】
本発明のラベル又は台紙の他の一例としては、複数の短線が、仮想基準線に対して所定角度を有して所定の方向へ交差せずに離間対向して延びる複数の直線と、仮想基準線に対して所定角度を有して所定の方向へ交差せずに離間対向して延びる複数の曲線とのうちの少なくとも一方であり、短線の長さ寸法が、０．１〜２０ｍｍの範囲にあり、隣接する短線どうしの離間寸法が、３０〜２００μｍの範囲にあり、短線の線太さが、５〜１５０μｍの範囲にあり、印刷面から凸状に弧を画く短線の最大高さが、５〜２００μｍの範囲にある。
【００２１】
本発明のラベル又は台紙の他の一例としては、短線の線太さが、所定の方向へ向かうにつれて次第に増加し又は次第に減少している。
【００２２】
本発明のラベル又は台紙の他の一例としては、短線の最大高さが、所定の方向へ向かうにつれて次第に増加し又は次第に減少している。
【００２３】
本発明のラベル又は台紙の他の一例としては、短線の長さ寸法が、所定の方向へ向かうにつれて次第に増加し又は次第に減少している。
【００２４】
本発明のラベル又は台紙の他の一例としては、隣接する短線どうしの離間寸法が、所定の方向へ向かうにつれて次第に増加し又は次第に減少している。
【発明の効果】
【００２５】
本発明に係る箱によれば、任意の方向へ延びるとともに所定の方向へ所定間隔離間対向して並ぶ極細の複数の短線の集合によって画成されたシルクスクリーン印刷図画がインキを利用したシルクスクリーン印刷によって印刷され、シルクスクリーン印刷図画が見る角度によって見え方が変化するチェンジング効果を有するから、箱を見る者に好印象を与えることができ、箱を見る者を強く引き付けることができる。箱は、その印刷面にチェンジング効果を有するシルクスクリーン印刷図画が印刷されることで、印刷面を目立たせることができ、箱に収容された商品の購買意欲を掻き立てることができる。箱は、チェンジング効果を有するシルクスクリーン印刷図画とともにオフセット印刷によって印刷されたオフセット印刷図画を備え、シルクスクリーン印刷図画のチェンジング効果による目の錯覚を利用してオフセット印刷図画を際立たせることができ、箱を見る者にオフセット印刷図画を鮮明かつ明確に認識させることができるとともに、箱を見る者にオフセット印刷図画が示す商品名や会社名等を強く印象付けることができる。
【００２６】
極細の複数の短線の集合によって画成された同一の態様の複数のシルクスクリーン印刷図と極細の複数の短線の集合によって画成された異なる態様の複数のシルクスクリーン印刷図画とのうちの少なくとも一方が所定の方向へ並んだ状態で印刷面に印刷されている箱は、同一の態様（模様）のシルクスクリーン印刷図や異なる態様（模様）のシルクスクリーン印刷図が所定の方向へ並ぶことで、複数のシルクスクリーン印刷図が印刷面に表現され、それらシルクスクリーン印刷図が見る角度によって見え方が変化するチェンジング効果を有するから、箱を見る者に好印象を与えることができ、箱を見る者を強く引き付けることができる。箱は、その印刷面にチェンジング効果を有する複数のシルクスクリーン印刷図画が印刷されることで、印刷面を目立たせることができ、箱に収容された商品の購買意欲を掻き立てることができる。箱は、チェンジング効果を有する同一又は異なる態様の複数のシルクスクリーン印刷図画とともにオフセット印刷によって印刷されたオフセット印刷図画を備え、それらシルクスクリーン印刷図画のチェンジング効果による目の錯覚を利用してオフセット印刷図画を際立たせることができ、箱を見る者にオフセット印刷図画を鮮明かつ明確に認識させることができるとともに、箱を見る者にオフセット印刷図画が示す商品名や会社名等を強く印象付けることができる。
【００２７】
シルクスクリーン印刷図画がオフセット印刷図画を印刷した印刷面を除く残余の印刷面に印刷され、又は、オフセット印刷図画を印刷した印刷面においてオフセット印刷図画に重ねて印刷され、オフセット印刷図画がシルクスクリーン印刷図画に囲繞されている箱は、シルクスクリーン印刷図画がオフセット印刷図画を印刷した印刷面を除く残余の印刷面に印刷された場合、シルクスクリーン印刷図画を画成する短線がオフセット印刷図画に表示されず、オフセット印刷図画を鮮明に表現することができる。箱は、オフセット印刷図画がシルクスクリーン印刷図画に囲繞されることで、オフセット印刷図画がシルクスクリーン印刷図画に囲まれ、オフセット印刷図画の周囲に印刷されたシルクスクリーン印刷図画のチェンジング効果による目の錯覚を利用してオフセット印刷図画を際立たせることができ、箱を見る者にオフセット印刷図画を鮮明かつ明確に認識させることができるとともに、箱を見る者にオフセット印刷図画が示す商品名や会社名等を強く印象付けることができる。
【００２８】
複数の短線が仮想基準線に対して所定角度を有して所定の方向へ交差せずに離間対向して延びる複数の直線と仮想基準線に対して所定角度を有して所定の方向へ交差せずに離間対向して延びる複数の曲線とのうちの少なくとも一方であり、短線の長さ寸法が０．１〜２０ｍｍの範囲にあり、隣接する短線どうしの離間寸法が３０〜２００μｍの範囲にあり、短線の線太さが５〜１５０μｍの範囲にあり、印刷面から凸状に弧を画く短線の最大高さが５〜２００μｍの範囲にある箱は、直線や曲線であるそれら短線の長さ寸法、それら短線どうしの離間寸法、短線の線太さ、短線の最大高さを前記範囲にすることにより、それら極細の短線の集合によって画成されたシルクスクリーン印刷図画が高精細及び繊細で綺麗に表現され、箱を見る者に好印象を与えることができ、箱を見る者を強く引き付けることができる。箱は、その印刷面にチェンジング効果を有する高精細及び繊細で見た目が綺麗なシルクスクリーン印刷図画が印刷されることで、印刷面を目立たせることができ、箱に収容された商品の購買意欲を掻き立てることができる。箱は、高精細及び繊細なシルクスクリーン印刷図画のチェンジング効果による目の錯覚を利用してオフセット印刷図画を際立たせることができ、箱を見る者にオフセット印刷図画を鮮明かつ明確に認識させることができるとともに、箱を見る者にオフセット印刷図画が示す商品名や会社名等を強く印象付けることができる。
【００２９】
短線の線太さが所定の方向へ向かうにつれて次第に増加し又は次第に減少している箱は、それら短線の線太さを所定の方向へ向かうにつれて次第に増加させ又は次第に減少させることで、それら極細の短線の集合によって画成されたシルクスクリーン印刷図画が高精細及び繊細で綺麗かつ斬新に表現され、それら短線の集合によって画成されたシルクスクリーン印刷図画が優れたチェンジング効果を発現し、箱を見る者に好印象を与えることができ、箱を見る者を強く引き付けることができる。箱は、短線の線太さを次第に増加させ又は次第に減少させることによって優れたチェンジング効果を発現するシルクスクリーン印刷図画がその印刷面に印刷されることで、印刷面を目立たせることができ、箱に収容された商品の購買意欲を掻き立てることができる。箱は、シルクスクリーン印刷図画の優れたチェンジング効果による目の錯覚を利用してオフセット印刷図画を際立たせることができ、箱を見る者にオフセット印刷図画を鮮明かつ明確に認識させることができるとともに、箱を見る者にオフセット印刷図画が示す商品名や会社名等を強く印象付けることができる。
【００３０】
短線の最大高さが所定の方向へ向かうにつれて次第に増加し又は次第に減少している箱は、それら短線の最大高さを所定の方向へ向かうにつれて次第に増加させ又は次第に減少させることで、それら極細の短線の集合によって画成されたシルクスクリーン印刷図画が高精細及び繊細で綺麗かつ斬新に表現され、それら短線の集合によって画成されたシルクスクリーン印刷図画が優れたチェンジング効果を発現し、箱を見る者に好印象を与えることができ、箱を見る者を強く引き付けることができる。箱は、短線の最大高さを次第に増加させ又は次第に減少させることによって優れたチェンジング効果を発現するシルクスクリーン印刷図画がその印刷面に印刷されることで、印刷面を目立たせることができ、箱に収容された商品の購買意欲を掻き立てることができる。箱は、シルクスクリーン印刷図画の優れたチェンジング効果による目の錯覚を利用してオフセット印刷図画を際立たせることができ、箱を見る者にオフセット印刷図画を鮮明かつ明確に認識させることができるとともに、箱を見る者にオフセット印刷図画が示す商品名や会社名等を強く印象付けることができる。
【００３１】
短線の長さ寸法が所定の方向へ向かうにつれて次第に増加し又は次第に減少している箱は、それら短線の長さ寸法を所定の方向へ向かうにつれて次第に増加させ又は次第に減少させることで、それら極細の短線の集合によって画成されたシルクスクリーン印刷図画が高精細及び繊細で綺麗かつ斬新に表現され、それら短線の集合によって画成されたシルクスクリーン印刷図画が優れたチェンジング効果を発現し、箱を見る者に好印象を与えることができ、箱を見る者を強く引き付けることができる。箱は、短線の長さ寸法を次第に増加させ又は次第に減少させることによって優れたチェンジング効果を発現するシルクスクリーン印刷図画がその印刷面に印刷されることで、印刷面を目立たせることができ、箱に収容された商品の購買意欲を掻き立てることができる。箱は、シルクスクリーン印刷図画の優れたチェンジング効果による目の錯覚を利用してオフセット印刷図画を際立たせることができ、箱を見る者にオフセット印刷図画を鮮明かつ明確に認識させることができるとともに、箱を見る者にオフセット印刷図画が示す商品名や会社名等を強く印象付けることができる。
【００３２】
隣接する短線どうしの離間寸法が所定の方向へ向かうにつれて次第に増加し又は次第に減少している箱は、それら短線どうしの離間寸法を所定の方向へ向かうにつれて次第に増加させ又は次第に減少させることで、それら極細の短線の集合によって画成されたシルクスクリーン印刷図画が高精細及び繊細で綺麗かつ斬新に表現され、それら短線の集合によって画成されたシルクスクリーン印刷図画が優れたチェンジング効果を発現し、箱を見る者に好印象を与えることができ、箱を見る者を強く引き付けることができる。箱は、短線どうしの離間寸法を次第に増加させ又は次第に減少させることによって優れたチェンジング効果を発現するシルクスクリーン印刷図画がその印刷面に印刷されることで、印刷面を目立たせることができ、箱に収容された商品の購買意欲を掻き立てることができる。箱は、シルクスクリーン印刷図画の優れたチェンジング効果による目の錯覚を利用してオフセット印刷図画を際立たせることができ、箱を見る者にオフセット印刷図画を鮮明かつ明確に認識させることができるとともに、箱を見る者にオフセット印刷図画が示す商品名や会社名等を強く印象付けることができる。
【００３３】
本発明に係るラベル又は台紙によれば、任意の方向へ延びるとともに所定の方向へ所定間隔離間対向して並ぶ極細の複数の短線の集合によって画成されたシルクスクリーン印刷図画がインキを利用したシルクスクリーン印刷によって印刷され、シルクスクリーン印刷図画が見る角度によって見え方が変化するチェンジング効果を有するから、ラベルや台紙を見る者に好印象を与えることができ、箱を見る者を強く引き付けることができる。ラベル又は台紙は、その印刷面にチェンジング効果を有するシルクスクリーン印刷図画が印刷されることで、印刷面を目立たせることができ、ラベルが示す商品や台紙が示す商品の購買意欲を掻き立てることができる。ラベル又は台紙は、チェンジング効果を有するシルクスクリーン印刷図画とともにオフセット印刷によって印刷されたオフセット印刷図画を備え、シルクスクリーン印刷図画のチェンジング効果による目の錯覚を利用してオフセット印刷図画を際立たせることができ、ラベルや台紙を見る者にオフセット印刷図画を鮮明かつ明確に認識させることができるとともに、ラベルや台紙を見る者にオフセット印刷図画が示す商品名や会社名等を強く印象付けることができる。
【００３４】
極細の複数の短線の集合によって画成された同一の態様の複数のシルクスクリーン印刷図と極細の複数の短線の集合によって画成された異なる態様の複数のシルクスクリーン印刷図画とのうちの少なくとも一方が所定の方向へ並んだ状態で印刷面に印刷されているラベル又は台紙は、同一の態様（模様）のシルクスクリーン印刷図や異なる態様（模様）のシルクスクリーン印刷図が所定の方向へ並ぶことで、複数のシルクスクリーン印刷図が印刷面に表現され、それらシルクスクリーン印刷図が見る角度によって見え方が変化するチェンジング効果を有するから、ラベルや台紙を見る者に好印象を与えることができ、ラベルや台紙を見る者を強く引き付けることができる。ラベル又は台紙は、その印刷面にチェンジング効果を有する複数のシルクスクリーン印刷図画が印刷されることで、印刷面を目立たせることができ、ラベルが示す商品や台紙が示す商品の購買意欲を掻き立てることができる。ラベル又は台紙は、チェンジング効果を有する同一又は異なる態様の複数のシルクスクリーン印刷図画とともにオフセット印刷によって印刷されたオフセット印刷図画を備え、それらシルクスクリーン印刷図画のチェンジング効果による目の錯覚を利用してオフセット印刷図画を際立たせることができ、ラベルや台紙を見る者にオフセット印刷図画を鮮明かつ明確に認識させることができるとともに、ラベルや台紙を見る者にオフセット印刷図画が示す商品名や会社名等を強く印象付けることができる。
【００３５】
シルクスクリーン印刷図画がオフセット印刷図画を印刷した印刷面を除く残余の印刷面に印刷され、又は、オフセット印刷図画を印刷した印刷面においてオフセット印刷図画に重ねて印刷され、オフセット印刷図画がシルクスクリーン印刷図画に囲繞されているラベル又は台紙は、シルクスクリーン印刷図画がオフセット印刷図画を印刷した印刷面を除く残余の印刷面に印刷された場合、シルクスクリーン印刷図画を画成する短線がオフセット印刷図画に表示されず、オフセット印刷図画を鮮明に表現することができる。ラベル又は台紙は、オフセット印刷図画がシルクスクリーン印刷図画に囲繞されることで、オフセット印刷図画がシルクスクリーン印刷図画に囲まれ、オフセット印刷図画の周囲に印刷されたシルクスクリーン印刷図画のチェンジング効果による目の錯覚を利用してオフセット印刷図画を際立たせることができ、ラベルや台紙を見る者にオフセット印刷図画を鮮明かつ明確に認識させることができるとともに、ラベルや台紙を見る者にオフセット印刷図画が示す商品名や会社名等を強く印象付けることができる。
【００３６】
複数の短線が仮想基準線に対して所定角度を有して所定の方向へ交差せずに離間対向して延びる複数の直線と仮想基準線に対して所定角度を有して所定の方向へ交差せずに離間対向して延びる複数の曲線とのうちの少なくとも一方であり、短線の長さ寸法が０．１〜２０ｍｍの範囲にあり、隣接する短線どうしの離間寸法が３０〜２００μｍの範囲にあり、短線の線太さが５〜１５０μｍの範囲にあり、印刷面から凸状に弧を画く短線の最大高さが５〜２００μｍの範囲にあるラベル又は台紙は、直線や曲線であるそれら短線の長さ寸法、それら短線どうしの離間寸法、短線の線太さ、短線の最大高さを前記範囲にすることにより、それら極細の短線の集合によって画成されたシルクスクリーン印刷図画が高精細及び繊細で綺麗に表現され、ラベルや台紙を見る者に好印象を与えることができ、ラベル又は台紙を見る者を強く引き付けることができる。ラベル又は台紙は、その印刷面にチェンジング効果を有する高精細及び繊細で見た目が綺麗なシルクスクリーン印刷図画が印刷されることで、印刷面を目立たせることができ、ラベルが示す商品や台紙が示す商品の購買意欲を掻き立てることができる。ラベル又は台紙は、高精細及び繊細なシルクスクリーン印刷図画のチェンジング効果による目の錯覚を利用してオフセット印刷図画を際立たせることができ、ラベルや台紙を見る者にオフセット印刷図画を鮮明かつ明確に認識させることができるとともに、ラベルや台紙を見る者にオフセット印刷図画が示す商品名や会社名等を強く印象付けることができる。
【００３７】
短線の線太さが所定の方向へ向かうにつれて次第に増加し又は次第に減少しているラベル又は台紙は、それら短線の線太さを所定の方向へ向かうにつれて次第に増加させ又は次第に減少させることで、それら極細の短線の集合によって画成されたシルクスクリーン印刷図画が高精細及び繊細で綺麗かつ斬新に表現され、それら短線の集合によって画成されたシルクスクリーン印刷図画が優れたチェンジング効果を発現し、ラベルや台紙を見る者に好印象を与えることができ、ラベルや台紙を見る者を強く引き付けることができる。ラベル又は台紙は、短線の線太さを次第に増加させ又は次第に減少させることによって優れたチェンジング効果を発現するシルクスクリーン印刷図画がその印刷面に印刷されることで、印刷面を目立たせることができ、ラベルが示す商品や台紙が示す商品の購買意欲を掻き立てることができる。ラベル又は台紙は、シルクスクリーン印刷図画の優れたチェンジング効果による目の錯覚を利用してオフセット印刷図画を際立たせることができ、ラベルや台紙を見る者にオフセット印刷図画を鮮明かつ明確に認識させることができるとともに、ラベルや台紙を見る者にオフセット印刷図画が示す商品名や会社名等を強く印象付けることができる。
【００３８】
短線の最大高さが所定の方向へ向かうにつれて次第に増加し又は次第に減少しているラベル又は台紙は、それら短線の最大高さを所定の方向へ向かうにつれて次第に増加させ又は次第に減少させることで、それら極細の短線の集合によって画成されたシルクスクリーン印刷図画が高精細及び繊細で綺麗かつ斬新に表現され、それら短線の集合によって画成されたシルクスクリーン印刷図画が優れたチェンジング効果を発現し、ラベルや台紙を見る者に好印象を与えることができ、ラベルや台紙を見る者を強く引き付けることができる。ラベル又は台紙は、短線の最大高さを次第に増加させ又は次第に減少させることによって優れたチェンジング効果を発現するシルクスクリーン印刷図画がその印刷面に印刷されることで、印刷面を目立たせることができ、ラベルが示す商品や台紙が示す商品の購買意欲を掻き立てることができる。ラベル又は台紙は、シルクスクリーン印刷図画の優れたチェンジング効果による目の錯覚を利用してオフセット印刷図画を際立たせることができ、ラベルや台紙を見る者にオフセット印刷図画を鮮明かつ明確に認識させることができるとともに、ラベルや台紙を見る者にオフセット印刷図画が示す商品名や会社名等を強く印象付けることができる。
【００３９】
短線の長さ寸法が所定の方向へ向かうにつれて次第に増加し又は次第に減少しているラベル又は台紙は、それら短線の長さ寸法を所定の方向へ向かうにつれて次第に増加させ又は次第に減少させることで、それら極細の短線の集合によって画成されたシルクスクリーン印刷図画が高精細及び繊細で綺麗かつ斬新に表現され、それら短線の集合によって画成されたシルクスクリーン印刷図画が優れたチェンジング効果を発現し、ラベルや台紙を見る者に好印象を与えることができ、ラベルや台紙を見る者を強く引き付けることができる。ラベル又は台紙は、短線の長さ寸法を次第に増加させ又は次第に減少させることによって優れたチェンジング効果を発現するシルクスクリーン印刷図画がその印刷面に印刷されることで、印刷面を目立たせることができ、ラベルが示す商品や台紙が示す商品の購買意欲を掻き立てることができる。ラベル又は台紙は、シルクスクリーン印刷図画の優れたチェンジング効果による目の錯覚を利用してオフセット印刷図画を際立たせることができ、ラベルや台紙を見る者にオフセット印刷図画を鮮明かつ明確に認識させることができるとともに、ラベルや台紙を見る者にオフセット印刷図画が示す商品名や会社名等を強く印象付けることができる。
【００４０】
隣接する短線どうしの離間寸法が所定の方向へ向かうにつれて次第に増加し又は次第に減少しているラベル又は台紙は、それら短線どうしの離間寸法を所定の方向へ向かうにつれて次第に増加させ又は次第に減少させることで、それら極細の短線の集合によって画成されたシルクスクリーン印刷図画が高精細及び繊細で綺麗かつ斬新に表現され、それら短線の集合によって画成されたシルクスクリーン印刷図画が優れたチェンジング効果を発現し、ラベルや台紙を見る者に好印象を与えることができ、ラベルや台紙を見る者を強く引き付けることができる。ラベル又は台紙は、短線の離間寸法を次第に増加させ又は次第に減少させることによって優れたチェンジング効果を発現するシルクスクリーン印刷図画がその印刷面に印刷されることで、印刷面を目立たせることができ、ラベルが示す商品や台紙が示す商品の購買意欲を掻き立てることができる。ラベル又は台紙は、シルクスクリーン印刷図画の優れたチェンジング効果による目の錯覚を利用してオフセット印刷図画を際立たせることができ、ラベルや台紙を見る者にオフセット印刷図画を鮮明かつ明確に認識させることができるとともに、ラベルや台紙を見る者にオフセット印刷図画が示す商品名や会社名等を強く印象付けることができる。
【図面の簡単な説明】
【００４１】
【図１】一例として示すサック箱の正面斜視図。
【図２】サック箱を展開した箱用ブランクの展開平面図。
【図３】サック箱の正面板に印刷されたオフセット印刷図画及びシルクスクリーン印刷図画の一例を示す図。
【図４】サック箱の正面板に印刷された図３のシルクスクリーン印刷図画の部分拡大図。
【図５】サック箱の背面板に印刷されたオフセット印刷図画及びシルクスクリーン印刷図画の一例を示す図。
【図６】サック箱の背面板に印刷された図５のシルクスクリーン印刷図画の部分拡大図。
【図７】短線における光の反射の一例を説明する図。
【図８】サック箱の第１側面板に印刷されたオフセット印刷図画及びシルクスクリーン印刷図画の一例を示す図。
【図９】サック箱の第１側面板に印刷された図８のシルクスクリーン印刷図画の部分拡大図。
【図１０】サック箱の第２側面板に印刷されたオフセット印刷図画及びシルクスクリーン印刷図画の一例を示す図。
【図１１】サック箱の第２側面板に印刷された図９のシルクスクリーン印刷図画の部分拡大図。
【図１２】サック箱の上面板に印刷されたシルクスクリーン印刷図画の一例を示す図。
【図１３】サック箱の上面板に印刷された図１２のシルクスクリーン印刷図画の部分拡大図。
【図１４】オフセット印刷図画及びシルクスクリーン印刷図画が印刷されたラベルの一例を示す図。
【図１５】ラベルに印刷された図１４のシルクスクリーン印刷図画の部分拡大図。
【図１６】オフセット印刷図画及びシルクスクリーン印刷図画が印刷された台紙の一例を示す図。
【図１７】台紙に印刷された図１６のシルクスクリーン印刷図画の部分拡大図。
【図１８】他の一例として示すシルクスクリーン印刷図画の部分拡大図。
【図１９】他の一例として示すシルクスクリーン印刷図画の部分拡大図。
【図２０】他の一例として示すシルクスクリーン印刷図画の部分拡大図。
【発明を実施するための形態】
【００４２】
一例として示すサック箱１０の正面斜視図である図１等の添付の図面を参照し、本発明にかかる箱の詳細を説明すると、以下のとおりである。なお、図２は、サック箱１０を展開した箱用ブランク２６の展開平面図である。図１，２では、上下方向を矢印Ａ、幅方向を矢印Ｂで示し、前後方向を矢印Ｃ（図１のみ）で示す。
【００４３】
なお、図１，２では、サック箱１０を図示しているが、箱の種類（形態）を図示のそれに限定するものではない。オフセット印刷図画２４及びシルクスクリーン印刷図画２５が印刷された本発明の箱には、現在使用されているあらゆる箱のみならず、将来開発されるあらゆる種類（形態）の箱が含まれる。本発明の箱（オフセット印刷図画２４及びシルクスクリーン印刷図画２５が印刷された箱）の具体例としては、サック箱１０の他に、フタミ式貼箱やインロー式貼箱、キャラメル箱、底地獄箱、底ワンタッチ箱、ギフト箱、印籠箱、ブックタイプ箱、キャリータイプ箱、ハンガータイプ箱、ピロータイプ箱、組箱（額あり）、組箱（額なし）、Ｎ式箱、スリーブ箱、紙管（スパイラル）、紙管（平巻き）、紙管（巻締め）、紙管（フラット）、紙管（印籠）、紙管（かぶせ）、紙管（アウトラインケース）、貼箱（かぶせ）、貼箱（印籠）、貼箱（ブック）、貼箱（ヒンジ）、ダイカット箱、ワンピース箱、Ｖカット箱、クリアーケース、特殊貼四隅貼箱、ケーキ箱、平留め箱、段ボール箱、自由設計箱等がある。
【００４４】
箱の材質の具体例としては、紙（板紙）や合成樹脂シート（プラスチックシート）、複合シートが使用される。紙（板紙）には、チップボールやクラフトボール、コートボール、ノーコートボール、コートアイボリー、段ボール、高級板紙、特殊板紙、非木材紙、間伐材紙等が使用される。合成樹脂シートには、ＰＰシートやＰＥＴシート等が使用される。合成樹脂シートは、有色透明や有色半透明、無色透明、無色半透明のいずれであってもよい。複合シートには、紙と合成樹脂シートとのラミネートシート、アルミ蒸着紙、ホイル紙、ファンシーペーパー、耐水・耐油紙、耐熱紙、抗菌板紙等が使用される。箱には、各種表面加工（プレスコートやＵＶコート、フィルムコート）が施される場合がある。箱の印刷面２７は光沢性（金色や無色銀色、有色銀色）又は半光沢性（金色や無色銀色、有色銀色）を有することが好ましい。なお、箱の材質に特に限定はなく、箱の材質には現在使用されているもののみならず、将来使用されるあらゆる材質が含まれる。
【００４５】
サック箱１０（箱）は、上下方向へ長い六面体であり、前後方向へ対向しつつ上下方向へ並行して延びる所定面積の正面板１１（正面パネル）及び背面板１２（背面パネル）と、幅方向へ対向しつつ上下方向へ並行して延びる所定面積の一対の第１側面板１３（第１側面パネル）および第２側面板１４（第２側面パネル）と、上下方向へ延びる連接板１５（連接パネル）と、上下方向へ対向しつつ幅方向へ並行して延びる所定面積の上面板１６（上面パネル）および下面板１７（下面パネル）と、上下方向へ延びる第１〜第４フラップ１８〜２１と、上下方向へ延びる第１及び第２差し込みフラップ２２，２３とから形成されている。
【００４６】
正面板１１と第１及び第２側面板１３，１４と上面板１６とには、オフセット印刷図画２４とシルクスクリーン印刷図画２５とが印刷されている。背面板１２には、シルクスクリーン印刷図画２５が印刷されている。オフセット印刷図画２４は、シルクスクリーン印刷図画２５とは異なる色であって所定の色（無彩色又は有彩色）に着色されている。サック箱１０では、それを作る長尺の原反に複数の箱用ブランク２６を型取り、オフセット印刷（ＵＶインキ又は油性インキを使用）によって箱用ブランク２６（原反）の印刷面２７の所定の箇所にオフセット印刷図画２４を連続して印刷した後、シルクスクリーン印刷（溶剤インキ（透明インキ、半透明インキ、透光性インキ）を使用）によって箱用ブランク２６（原反）の印刷面２７の所定の箇所にシルクスクリーン印刷図画２５を連続して印刷する。箱用ブランク２６（原反）では、シルクスクリーン印刷図画２５がオフセット印刷図画２４を印刷した印刷面２７を除く残余の印刷面２７に印刷される場合、又は、オフセット印刷図画２４を印刷した印刷面２７においてシルクスクリーン印刷図画２５がオフセット印刷図画２４に重ねて印刷される場合がある。
【００４７】
原反にオフセット印刷図画２４及びシルクスクリーン印刷図画２５を印刷した後、原反から箱用ブランク２６を切り離し、箱用ブランク２６を組み立てることでサック箱１０が作られる。サック箱１０には、それら板１１〜１７（パネル）に囲繞された所定容積の商品収容スペース２８が形成されている。サック箱１０は、その商品収容スペース２８に所定の商品（物品）を収容し、オフセット印刷図画２４やシルクスクリーン印刷図画２５が見えるように商品陳列棚や商品陳列ケース等の所定の箇所に載置され、人目に付くように商品陳列棚や商品陳列ケース等に陳列される。
【００４８】
正面板１１および背面板１２は、上下方向へ長い略矩形に成形（カット）され、上下方向へ延びている。第１及び第２側面板１３，１４や連接板１５」は、上下方向へ長い略矩形に成形（カット）され、上下方向へ延びている。上面板１６及び下面板１７は、幅方向へ長い略矩形に成形（カット）され、幅方向へ延びている。上面板１６や第１及び第２フラップ１８，１９、第１差し込みフラップ２２は、箱１０の頂部開口を塞ぎ、下面板１７や第３及び第４フラップ２０，２１、第２差し込みフラップ２３は、箱１０の底部開口を塞ぐ。
【００４９】
第１側面板１３（右側面板）は、図２の展開平面図に示すように、正面板１１の一方の側縁２９に連接されている。第２側面板１４（左側面板）は、正面板１１の他方の側縁３０と背面板１２の一方の側縁３１とに連接されている。連接板１５は、背面板１２の他方の側縁３２に連接されている。上面板１６は、正面板１１の上端縁３３に連接され、下面板１７は、正面板１１の下端縁３４に連接されている。第１フラップ１８は、第１側面板１３の上端縁３５に連接され、第２フラップ１９は、第２側面板１４の上端縁３６に連接されている。第３フラップ２０は、第１側面板１３の下端縁３７に連接され、第４フラップ２１は、第２側面板１４の下端縁３８に連接されている。第１差し込みフラップ２２は、上面板１６の端縁３９に連接され、第２差し込みフラップ２３は、下面板１７の端縁４０に連接されている。
【００５０】
図２に示す箱用ブランク箱２６からサック箱１０（箱）を組み立てる手順の一例は、背面板１２に対して連接板１５が直交するように連接板１５を側縁３２において折曲し（折り曲げ）、第２側面板１４に対して背面板１２が直交するように背面板１２を側縁３１において折曲する（折り曲げる）。第２側面板１４が正面板１１に対して直交するように第２側面板１４を側縁３０において折曲し（折り曲げ）、正面板１１が第１側面板１３に対して直交するように正面板１１を側縁２９において折曲する（折り曲げる）。それら板１１〜１５を折曲した後、接着剤（糊）を利用して連接板１５を第１側面板１３の内面に固着する。
【００５１】
次に、第３及び第４フラップ２０，２１を端縁３７，３８において折曲し（折り曲げ）、下面板１７及び第２差し込みフラップ２３を端縁３４，４０において折曲し（折り曲げ）、第２差し込みフラップ２３を背面板１２の内側に差し込み、底部開口を塞ぐ。頂部開口から商品収容スペース２８に所定の商品（物品）を収容した後、第１及び第２フラップ１８，２９を端縁３５，３６において折曲し（折り曲げ）、上面板１６及び第１差し込みフラップ２２を端縁３３，３９において折曲し（折り曲げ）、第１差し込みフラップ２２を背面板１２の内側に差し込み、頂部開口を塞ぐ。
【００５２】
図３は、サック箱１０の正面板１１に印刷されたオフセット印刷図画２４及びシルクスクリーン印刷図画２５ａの一例を示す図であり、図４は、サック箱１０の正面板１１に印刷された図３のシルクスクリーン印刷図画２５ａの部分拡大図である。図５は、サック箱１０の背面板１２に印刷されたオフセット印刷図画２４及びシルクスクリーン印刷図画２５ｂの一例を示す図であり、図６は、サック箱１０の背面板１２に印刷された図５のシルクスクリーン印刷図画２５ｂの部分拡大図である。図７は、短線４１における光の反射の一例を説明する図である。
【００５３】
オフセット印刷図画２４は、正面板１１の上部に印刷され、その周囲がシルクスクリーン印刷図画２５に囲まれ、シルクスクリーン印刷図画２５ａに囲繞されている。オフセット印刷図面２４は、白黒、又は、Ｃ（シアン）・Ｍ（マゼンダ）・Ｙ（イエロー）・Ｋ（スミ）の４色のインキ及び特色（白、金、銀を含む）の数色のインキによるカラーで表示される。正面板１１の印刷面２７に印刷されたシルクスクリーン印刷図画２５ａの印刷面積全域を１００％としたときの正面板１１の印刷面２７に印刷されたオフセット印刷図画２４の印刷面積の割合は、５〜２０％の範囲にある。オフセット印刷図画２４の印刷面積の割合が５％未満では、オフセット印刷図画２４の印刷面積が少なく、オフセット印刷図画２４を明瞭に表現することができない。オフセット印刷図画２４の印刷面積の割合が２０％を超過すると、シルクスクリーン印刷図画２５ａの印刷面積に対するオフセット印刷図画２４の印刷面積が大きく、シルクスクリーン印刷図画２５ａの中にオフセット印刷図画２４を鮮明に浮き上がらせることができず、オフセット印刷図画２４を明瞭に表現することができない。オフセット印刷図画２４の印刷面積の割合が前記範囲にあるから、シルクスクリーン印刷図画２５ａを利用してシルクスクリーン印刷図画２５ａの中にオフセット印刷図画２４を鮮明に浮き上がらせることができ、オフセット印刷図画２４を明瞭に表現することができる。
【００５４】
シルクスクリーン印刷図画２５ａ（シルクスクリーン印刷図画２５ｂ〜２５ｊを含む）は、仕上がり画像をイメージした高細線を書き起こし、図画原稿フィルムを作成した後、作成した図画原稿フィルムを使用して製版し、製版したシルクスクリーンにインキを乗せて印刷する。サック箱１０の正面板１１の略全域及び背面板１２の略全域には、所定の方向へ並ぶ異なる態様（模様）の複数のシルクスクリーン印刷図画２５ａ，２５ｂが印刷されている。正面板１１に印刷されたそれらシルクスクリーン印刷図画２５ａの面積（大きさ）が背面板１２に印刷されたそれらシルクスクリーン印刷図画２５ｂの面積（大きさ）よりも大きい。なお、それらシルクスクリーン印刷図画２５ａ，２５ｂ（シルクスクリーン印刷図画２５ｃ〜２５ｊを含む）の面積（大きさ）に特に限定はなく、その面積（大きさ）を任意に決定することができる。また、正面板１１及び背面板１２の印刷面２７に印刷されたシルクスクリーン印刷図画２５ａ，２５ｂの態様（模様）に特に限定はなく、あらゆる態様（模様）のシルクスクリーン印刷図画２５ａ，２５ｂを正面板１１及び背面板１２の印刷面２７に印刷することができる。
【００５５】
それらシルクスクリーン印刷図画２５ａ，２５ｂは、任意の方向に延びるとともに所定の方向（任意の方向と交差する方向）へ等間隔離間対向（所定間隔離間対向）する複数の短線４１の集合によって画成されている。それら短線４１は、図７に示すように、印刷面２７から上方へ隆起して凸状に弧（円弧）を画き、印刷面２７に厚く盛られたインキ層を形成している。インキ層は、白黒層、又は、Ｃ（シアン）・Ｍ（マゼンダ）・Ｙ（イエロー）・Ｋ（スミ）の４色のインキ及び特色（白、金、銀を含む）の数色のインキによるカラー層である。それら短線４１は、入射する光を反射するが、入射する光の角度によって反射する光の角度が変わる。したがって、それら短線４１（シルクスクリーン印刷図画２５ａ〜２５ｊ）を見る角度によって短線４１から反射して見える光が変化する。なお、任意の方向に特に限定はなく、任意の方向を自由（上下方向、横方向、前後方向、斜め方向等）に設定することができ、所定の方向に特に限定はなく、所定の方向を自由（上下方向、横方向、前後方向、斜め方向等）に設定することができる。
【００５６】
サック箱１０の正面板１１や背面板１２に印刷されたそれらシルクスクリーン印刷図画２５ａ，２５ｂのうちの一方の種類のシルクスクリーン印刷図画２５ａ，２５ｂを画成するそれら短線４１は、図４，図６に示すように、仮想基準線Ｘに対して所定の角度で傾斜する直線４１ａであり、それら短線４１（直線４１ａ）が交差せずに互いに並行（平行）して延びている。それら短線４１（直線４１ａ）は、所定の方向へ等間隔離間対向（所定間隔離間対向）して並んでいる。それら短線４１は、その長さ寸法Ｌ１が所定の方向へ向かうにつれて次第に減少している。シルクスクリーン印刷図画２５ａ，２５ｂを画成するそれら短線４１（直線４１ａ）は、その線太さＬ１や離間寸法Ｌ２、最大高さＬ３が同一である。
【００５７】
なお、それら短線４１（直線４１ａ）の長さ寸法Ｌ１が所定の方向へ向かうにつれて次第に増加していてもよい。また、それら短線４１（直線４１ａ）の長さ寸法Ｌ１が所定の方向へ向かうにつれて次第に増加した後に次第に減少してもよく、それら短線４１（直線４１ａ）の長さ寸Ｌ１法が所定の方向へ向かうにつれて次第に減少した後に次第に増加してもよい。更に、その長さ寸法Ｌ１が所定の方向の一方へ向かうにつれて次第に増加しつつその長さ寸法Ｌ１が所定の方向の他方へ向かうにつれて次第に増加していてもよく、その長さ寸法Ｌ１が所定の方向の一方へ向かうにつれて次第に減少しつつその長さ寸法Ｌ１が所定の方向の他方へ向かうにつれて次第に減少していてもよく、それら短線４１（直線４１ａ）の長さ寸法Ｌ１が所定の方向へ向かって増加と減少とを繰り返してもよい。
【００５８】
サック箱１０の正面板１１や背面板１２に印刷されたそれらシルクスクリーン印刷図画２５ａ，２５ｂのうちの他方の種類のシルクスクリーン印刷図画２５ａ，２５ｂを画成するそれら短線４１は、図４，図６に示すように、仮想基準線Ｘに対して所定の角度で傾斜しつつ湾曲する曲線４１ｂであり、それら短線４１（曲線４１ｂ）が交差せずに互いに並行（平行）して延びている。それら短線４１（曲線４１ｂ）は、所定の方向へ等間隔離間対向（所定間隔離間対向）して並んでいる。それら短線４１（曲線４１ｂ）は、その長さ寸法Ｌ１が所定の方向へ向かうにつれて次第に減少している。シルクスクリーン印刷図画２５ａ，２５ｂを画成するそれら短線４１（曲線４１ｂ）は、その線太さＬ１や離間寸法Ｌ２、最大高さＬ３が同一である。
【００５９】
なお、それら短線４１（曲線４１ｂ）の長さ寸法Ｌ１が所定の方向へ向かうにつれて次第に増加していてもよい。また、それら短線４１（曲線４１ｂ）の長さ寸法Ｌ１が所定の方向へ向かうにつれて次第に増加した後に次第に減少してもよく、それら短線４１（曲線４１ｂ）の長さ寸法Ｌ１が所定の方向へ向かうにつれて次第に減少した後に次第に増加してもよい。更に、その長さ寸法Ｌ１が所定の方向の一方へ向かうにつれて次第に増加しつつその長さ寸法Ｌ１が所定の方向の他方へ向かうにつれて次第に増加していてもよく、その長さ寸法Ｌ１が所定の方向の一方へ向かうにつれて次第に減少しつつその長さ寸法Ｌ１が所定の方向の他方へ向かうにつれて次第に減少していてもよく、それら短線４１（曲線４１ｂ）の長さ寸法Ｌ１が所定の方向へ向かって増加と減少とを繰り返してもよい。
【００６０】
正面板１１や背面板１２に印刷されたそれらシルクスクリーン印刷図画２５ａ，２５ｂは、シルクスクリーン印刷図画２５ａ，２５ｂを画成するそれら短線４１（直線４１ａ、曲線４１ｂ）が異なる方向へ光を反射することで、見る角度によって見え方が変化するチェンジング効果を有する。正面板１１や背面板１２に印刷されたシルクスクリーン印刷図画２５ａ，２５ｂは、短線４１（直線４１ａ、曲線４１ｂ）の長さ寸法Ｌ１の変化（増加や減少）とともに、図１８に示す短線４１（直線４１ａ、曲線４１ｂ）の線太さＬ２の変化（増加や減少）と図１９に示す短線４１（直線４１ａ、曲線４１ｂ）どうしの離間寸法Ｌ３の変化（増加や減少）と図２０に示す短線４１（直線４１ａ、曲線４１ｂ）の最大高さＬ４の変化（増加や減少）とのうちの少なくとも１つの変化（増加や減少）をともなってもよい。
【００６１】
シルクスクリーン印刷図画２５ａ，２５ｂを画成する短線４１（直線４１ａ、曲線４１ｂ）は、その長さ寸法Ｌ１が０．１〜２０ｍｍの範囲、好ましくは、０．５〜１０ｍｍの範囲にある。短線４１（直線４１ａ、曲線４１ｂ）の長さ寸法Ｌ１が０．１ｍｍ未満では、短線４１（直線４１ａ、曲線４１ｂ）の長さ寸法Ｌ１が短くなりすぎてそれら極細の短線４１の集合によって画成されたシルクスクリーン印刷図画２５ａ，２５ｂの視認性や明確性が低下し、シルクスクリーン印刷図画２５ａ，２５ｂを鮮明かつ明確に認識させることができない。短線４１（直線４１ａ、曲線４１ｂ）の長さ寸法Ｌ１が２０ｍｍを超過すると、短線４１（直線４１ａ、曲線４１ｂ）の長さ寸法Ｌ１が長くなりすぎてそれら極細の短線４１の集合によって画成されたシルクスクリーン印刷図画２５ａ，２５ｂが粗削りに表現され、シルクスクリーン印刷図画２５ａ，２５ｂを高精細及び繊細で綺麗に表現することができない。
【００６２】
シルクスクリーン印刷図画２５ａ，２５ｂを画成する短線４１（直線４１ａ、曲線４１ｂ）の長さ寸法Ｌ１が前記範囲にあるから、それら極細の短線４１の集合によって画成されてサック箱１０の正面板１１や背面板１２に印刷されたシルクスクリーン印刷図画２５ａ，２５ｂを高精細及び繊細で綺麗に表現することができるとともに、高精細及び繊細で綺麗に表現されたシルクスクリーン印刷図画２５ａ，２５ｂでオフセット印刷図画２４を囲繞することで、シルクスクリーン印刷図画２５ａ，２５ｂの中にオフセット印刷図画２４を鮮明に浮き上がらせることができ、オフセット印刷図画２４を明瞭に表現することができる。
【００６３】
シルクスクリーン印刷図画２５ａ，２５ｂを画成する短線４１（直線４１ａ、曲線４１ｂ）は、その線太さＬ２が５〜１５０μｍの範囲、好ましくは、１０〜１００μｍの範囲にある。短線４１（直線４１ａ、曲線４１ｂ）の線太さＬ２が５μｍ未満では、短線４１（直線４１ａ、曲線４１ｂ）の線太さＬ２が細くなりすぎてそれら極細の短線４１の集合によって画成されたシルクスクリーン印刷図画２５ａ，２５ｂの視認性や明確性が低下し、シルクスクリーン印刷図画２５ａ，２５ｂを鮮明かつ明確に認識させることができない。短線４１（直線４１ａ、曲線４１ｂ）の線太さＬ２が１５０μｍを超過すると、短線４１（直線４１ａ、曲線４１ｂ）の線太さＬ２が太くなりすぎてそれら極細の短線４１の集合によって画成されたシルクスクリーン印刷図画２５ａ，２５ｂが粗削りに表現され、シルクスクリーン印刷図画２５ａ，２５ｂを高精細及び繊細で綺麗に表現することができない。
【００６４】
シルクスクリーン印刷図画２５ａ，２５ｂを画成する短線４１（直線４１ａ、曲線４１ｂ）の線太さＬ２が前記範囲にあるから、それら極細の短線４１の集合によって画成されてサック箱１０の正面板１１や背面板１２に印刷されたシルクスクリーン印刷図画２５ａ，２５ｂを高精細及び繊細で綺麗に表現することができるとともに、高精細及び繊細で綺麗に表現されたシルクスクリーン印刷図画２５ａ，２５ｂでオフセット印刷図画２４を囲繞することで、シルクスクリーン印刷図画２５ａ，２５ｂの中にオフセット印刷図画２４を鮮明に浮き上がらせることができ、オフセット印刷図画２４を明瞭に表現することができる。
【００６５】
シルクスクリーン印刷図画２５ａ，２５ｂを画成する短線４１（直線４１ａ、曲線４１ｂ）は、隣接する短線４１（直線４１ａ、曲線４１ｂ）どうしの所定の方向への離間寸法Ｌ３が３０〜２００μｍの範囲、好ましくは、５０〜１００μｍの範囲にある。短線４１（直線４１ａ、曲線４１ｂ）どうしの離間寸法Ｌ３が３０μｍ未満では、短線４１（直線４１ａ、曲線４１ｂ）どうしの間隔が狭くなりすぎてそれら極細の短線４１の集合によって画成されたシルクスクリーン印刷図画２５ａ，２５ｂの視認性や明確性が低下し、シルクスクリーン印刷図画２５ａ，２５ｂを鮮明かつ明確に認識させることができない。短線４１（直線４１ａ、曲線４１ｂ）どうしの離間寸法Ｌ３が２００μｍを超過すると、短線４１（直線４１ａ、曲線４１ｂ）どうしの間隔が広くなりすぎてそれら極細の短線４１の集合によって画成されたシルクスクリーン印刷図画２５ａ，２５ｂが粗削りに表現され、シルクスクリーン印刷図画２５ａ，２５ｂを高精細及び繊細で綺麗に表現することができない。
【００６６】
シルクスクリーン印刷図画２５ａ，２５ｂを画成する短線４１（直線４１ａ、曲線４１ｂ）の離間寸法Ｌ３が前記範囲にあるから、それら極細の短線４１の集合によって画成されてサック箱１０の正面板１１や背面板１２に印刷されたシルクスクリーン印刷図画２５ａ，２５ｂを高精細及び繊細で綺麗に表現することができるとともに、高精細及び繊細で綺麗に表現されたシルクスクリーン印刷図画２５ａ，２５ｂでオフセット印刷図画２４を囲繞することで、シルクスクリーン印刷図画２５ａ，２５ｂの中にオフセット印刷図画２４を鮮明に浮き上がらせることができ、オフセット印刷図画２４を明瞭に表現することができる。
【００６７】
シルクスクリーン印刷図画２５ａ，２５ｂを画成する短線４１（直線４１ａ、曲線４１ｂ）は、印刷面２７から凸状に弧（円弧）を画く最大高さＬ４（インキ盛り量）が１０〜２００μｍの範囲、好ましくは、２０〜１００のμｍの範囲にある。短線４１（直線４１ａ、曲線４１ｂ）の最大高さＬ４（インキ盛り量）が１０μｍ未満では、短線４１（直線４１ａ、曲線４１ｂ）の最大高さＬ４が低くなりすぎてそれら極細の短線４１の集合によって画成されたシルクスクリーン印刷図画２５ａ，２５ｂの立体性や視認性、明確性が低下し、シルクスクリーン印刷図画２５ａ，２５ｂを鮮明かつ明確に認識させることができない。短線４１（直線４１ａ、曲線４１ｂ）の最大高さＬ４（インキ盛り量）が２００μｍを超過すると、短線４１（直線４１ａ、曲線４１ｂ）の最大高さＬ４が高くなりすぎてそれら極細の短線４１の集合によって画成されたシルクスクリーン印刷図画２５ａ，２５ｂが粗削りに表現され、シルクスクリーン印刷図画２５ａ，２１５ｂを高精細及び繊細で綺麗に表現することができない。
【００６８】
シルクスクリーン印刷図画２５ａ，２５ｂを画成する短線４１（直線４１ａ、曲線４１ｂ）の最大高さＬ４が前記範囲にあるから、それら極細の短線４１の集合によって画成されてサック箱１０の正面板１１や背面板１２に印刷されたシルクスクリーン印刷図画２５ａ，２５ｂを高精細及び繊細で綺麗に表現することができるとともに、高精細及び繊細で綺麗に表現されたシルクスクリーン印刷図画２５ａ，２５ｂでオフセット印刷図画２４を囲繞することで、シルクスクリーン印刷図画２５ａ，２５ｂの中にオフセット印刷図画２４を鮮明に浮き上がらせることができ、オフセット印刷図画２４を明瞭に表現することができる。
【００６９】
図８は、サック箱１０の第１側面板１３に印刷されたオフセット印刷図画２４及びシルクスクリーン印刷図画２５ｃの一例を示す図であり、図９は、サック箱１０の第１側面板１３に印刷された図８のシルクスクリーン印刷図画２５ｃの部分拡大図である。図１０は、サック箱１０の第２側面板１４に印刷されたオフセット印刷図画２４及びシルクスクリーン印刷図画２５ｄの一例を示す図であり、図１１は、サック箱１０の第２側面板１４に印刷された図１０のシルクスクリーン印刷図画２５ｄの部分拡大図である。
【００７０】
オフセット印刷図画２４は、第１側面板１３（右側面板）の上部と第２側面板１３（左側面板）の上部とに印刷され、その周囲がシルクスクリーン印刷図画２５ｃ，２５ｄに囲まれ、シルクスクリーン印刷図画２５ｃ，２５ｄに囲繞されている。第１及び第２側面板１３，１４の印刷面２７に印刷されたシルクスクリーン印刷図画２５ｃ，２５ｄの印刷面積全域を１００％としたときの第１及び第２側面板１３，１４の印刷面２７に印刷されたオフセット印刷図画２４の印刷面積の割合は、正面板１１の印刷面２７に印刷されたオフセット印刷図画２４の印刷面積の割合と同一である。
【００７１】
サック箱１０（箱）の第１側面板１３の略全域には、所定の方向（任意の方向と交差する方向）へ並ぶ同一の態様（方形・三角形・菱形・多角形・円形等を組み合せた幾何学模様）の複数のシルクスクリーン印刷図画２５ｃが印刷されている。第１側面板１３の印刷面２７に印刷されたシルクスクリーン印刷図画２５の態様（模様）に特に限定はなく、あらゆる態様（模様）のシルクスクリーン印刷図画２５を第１側面板１３の印刷面２７に印刷することができる。それらシルクスクリーン印刷図画２５ｃは、任意の方向に延びるとともに所定の方向へ等間隔離間対向（所定間隔離間対向）する複数の短線４１の集合によって画成されている。
【００７２】
サック箱１０の第１側面板１３に印刷されたそれらシルクスクリーン印刷図画２５ｃを画成するそれら短線４１は、図９に示すように、仮想基準線Ｘに対して所定の角度で傾斜する直線４１ａであり、それら短線４１（直線４１ａ）が交差せずに互いに並行（平行）して延びている。それら短線４１（直線４１ａ）は、所定の方向へ等間隔離間対向（所定間隔離間対向）して並んでいる。それら短線４１（直線４１ａ）は、その長さ寸法Ｌ１が所定の方向の一方へ向かうにつれて次第に減少しつつその長さ寸法Ｌ１が所定の方向の他方へ向かうにつれて次第に減少している。第１側面板１３に印刷されたシルクスクリーン印刷図画２５ｃを画成するそれら短線４１（直線４１ａ）は、その線太さＬ２や離間寸法Ｌ３、最大高さＬ４が同一である。
【００７３】
シルクスクリーン印刷図画２５ｃを画成する短線４１（直線４１ａ）の長さ寸法Ｌ１の範囲（０．１〜２０ｍｍの範囲、好ましくは、０．５〜１０ｍｍの範囲）、それら短線４１（直線４１ａ）の線太さＬ２の範囲（５〜１５０μｍの範囲、好ましくは、１０〜１００μｍの範囲）、それら短線４１（直線４１ａ）の離間寸法Ｌ３の範囲（３０〜２００μｍの範囲、好ましくは、５０〜１００μｍの範囲）、それら短線４１（直線４１ａ）の最大高さＬ４の範囲（１０〜２００μｍの範囲、好ましくは、２０〜１００のμｍの範囲）は、既述のとおりである。
【００７４】
第１側面板１３に印刷されたシルクスクリーン印刷図画２５ｃを画成するそれら短線４１（直線４１ａ）の長さ寸法Ｌ１や線太さＬ２、離間寸法Ｌ３、最大高さＬ４が前記範囲にあるから、それら極細の短線４１の集合によって画成されて箱１０の第１側面板１３に印刷されたシルクスクリーン印刷図画２５ｃを高精細及び繊細で綺麗に表現することができるとともに、高精細及び繊細で綺麗に表現されたシルクスクリーン印刷図画２５ｃでオフセット印刷図画２４を囲繞することで、シルクスクリーン印刷図画２５ｃの中にオフセット印刷図画２４を鮮明に浮き上がらせることができ、オフセット印刷図画２４を明瞭に表現することができる。
【００７５】
なお、シルクスクリーン印刷図画２５ｃを画成する短線４１（直線４１ａ）の長さ寸法Ｌ１が所定の方向へ向かうにつれて次第に増加していてもよく、それら短線４１（直線４１ａ）の長さ寸法Ｌ１が所定の方向へ向かうにつれて次第に減少していてもよい。また、それら短線４１（直線４１ａ）の長さ寸法Ｌ１が所定の方向へ向かうにつれて次第に増加した後に次第に減少してもよく、それら短線４１（直線４１ａ）の長さ寸法Ｌ１が所定の方向へ向かうにつれて次第に減少した後に次第に増加してもよい。更に、その長さ寸法Ｌ１が所定の方向の一方へ向かうにつれて次第に増加しつつその長さ寸法Ｌ１が所定の方向の他方へ向かうにつれて次第に増加していてもよく、それら短線４１（直線４１ａ）の長さ寸法Ｌ１が所定の方向へ向かって増加と減少とを繰り返してもよい。
【００７６】
サック箱１０（箱）の第２側面板１４の略全域には、所定の方向へ並ぶ同一及び異なる態様（楕円形の幾何学模様）の複数のシルクスクリーン印刷図画２５ｄが印刷されている。第２側面板１４の印刷面２７に印刷されたシルクスクリーン印刷図画２５の態様（模様）に特に限定はなく、あらゆる態様（模様）のシルクスクリーン印刷図画２５を第２側面板１４の印刷面２７に印刷することができる。それらシルクスクリーン印刷図画２５ｄは、任意の方向に延びるとともに所定の方向へ等間隔離間対向（所定間隔離間対向）する複数の短線４１の集合によって画成されている。
【００７７】
サック箱１０の第２側面板１４に印刷されたそれらシルクスクリーン印刷図画２５ｄを画成するそれら短線４１は、図１１に示すように、仮想基準線Ｘに対して所定の角度で傾斜する直線４１ａであり、それら短線４１（直線４１ａ）が交差せずに互いに並行（平行）して延びている。それら短線４１（直線４１ａ）は、所定の方向へ等間隔離間対向（所定間隔離間対向）して並んでいる。それら短線４１（直線４１ａ）は、その長さ寸法Ｌ１が所定の方向の一方へ向かうにつれて次第に減少するとともに、その長さ寸法Ｌ１が所定の方向の他方へ向かうにつれて次第に減少している。第２側面板１４に印刷されたシルクスクリーン印刷図画２５ｄを画成するそれら短線４１（直線４１ａ）は、その線太さＬ２や離間寸法Ｌ３、最大高さＬ４が同一である。
【００７８】
シルクスクリーン印刷図画２５ｄを画成する短線４１（直線４１ａ）の長さ寸法Ｌ１の範囲（０．１〜２０ｍｍの範囲、好ましくは、０．５〜１０ｍｍの範囲）、それら短線４１（直線４１ａ）の線太さＬ２の範囲（５〜１５０μｍの範囲、好ましくは、１０〜１００μｍの範囲）、それら短線４１（直線４１ａ）の離間寸法Ｌ３の範囲（３０〜２００μｍの範囲、好ましくは、５０〜１００μｍの範囲）、それら短線４１（直線４１ａ）の最大高さＬ４の範囲（１０〜２００μｍの範囲、好ましくは、２０〜１００のμｍの範囲）は、既述のとおりである。
【００７９】
第２側面板１４に印刷されたシルクスクリーン印刷図画２５ｄを画成するそれら短線４１（直線４１ａ）の長さ寸法Ｌ１や線太さＬ２、離間寸法Ｌ３、最大高さＬ４が前記範囲にあるから、それら極細の短線４１の集合によって画成されてサック箱１０の第２側面板１４に印刷されたシルクスクリーン印刷図画２５ｄを高精細及び繊細で綺麗に表現することができるとともに、高精細及び繊細で綺麗に表現されたシルクスクリーン印刷図画２５ｄでオフセット印刷図画２４を囲繞することで、シルクスクリーン印刷図画２５ｄの中にオフセット印刷図画２４を鮮明に浮き上がらせることができ、オフセット印刷図画２４を明瞭に表現することができる。
【００８０】
なお、シルクスクリーン印刷図画２５ｄを画成する短線４１（直線４１ａ）の長さ寸法Ｌ１が所定の方向へ向かうにつれて次第に増加していてもよく、それら短線４１（直線４１ａ）の長さ寸法Ｌ１が所定の方向へ向かうにつれて次第に減少していてもよい。また、その長さ寸法Ｌ１が所定の方向の一方へ向かうにつれて次第に増加するとともにその長さ寸法Ｌ１が所定の方向の他方へ向かうにつれて次第に増加していてもよい。更に、それら短線４１（直線４１ａ）の長さ寸法Ｌ１が所定の方向へ向かうにつれて次第に増加した後に次第に減少してもよく、それら短線４１（直線４１ａ）の長さ寸法Ｌ１が所定の方向へ向かうにつれて次第に減少した後に次第に増加してもよく、それら短線４１（直線４１ａ）の長さ寸法Ｌ１が所定の方向へ向かって増加と減少とを繰り返してもよい。
【００８１】
第１側面板１３や第２側面板１４に印刷されたそれらシルクスクリーン印刷図画２５ｃ，２５ｄは、シルクスクリーン印刷図画２５ｃ，２５ｄを画成するそれら短線４１（直線４１ａ）が異なる方向へ光を反射することで、見る角度によって見え方が変化するチェンジング効果を有する。第１側面板１３や第２側面板１４に印刷されたシルクスクリーン印刷図画２５ｃ，２５ｄは、短線４１（直線４１ａ）の長さ寸法Ｌ１の変化（増加や減少）とともに、図１８に示す短線４１（直線４１ａ）の線太さＬ２の変化（増加や減少）と図１９に示す短線４１（直線４１ａ）どうしの離間寸法Ｌ３の変化（増加や減少）と図２０に示す短線４１（直線４１ａ）の最大高さＬ４の変化（増加や減少）とのうちの少なくとも１つの変化（増加や減少）をともなってもよい。
【００８２】
図１２は、サック箱１０の上面板１６に印刷されたシルクスクリーン印刷図画２５ｅの一例を示す図であり、図１３は、サック箱１０の上面板１６に印刷された図１２のシルクスクリーン印刷図画２５ｅの部分拡大図である。サック箱１０（箱）の上面板１６の略全域には、所定の方向（任意の方向と交差する方向）へ並ぶ同一の態様（模様）の複数のシルクスクリーン印刷図画２５ｅが印刷されている。上面板１６の印刷面２７に印刷されたシルクスクリーン印刷図画２５の態様（模様）に特に限定はなく、あらゆる態様（模様）のシルクスクリーン印刷図画２５を上面板１６の印刷面２７に印刷することができる。それらシルクスクリーン印刷図画２５ｅは、任意の方向（四方へ放射状）に延びるとともに所定の方向（四方へ放射状）へ所定間隔離間対向する複数の短線４１の集合によって画成されている。
【００８３】
サック箱１０の上面板１６に印刷されたそれらシルクスクリーン印刷図画２５ｅを画成するそれら短線４１は、図１３に示すように、仮想基準線Ｘに対して所定の角度で傾斜する直線４１ａであり、それら短線４１（直線４１ａ）が交差せずに放射状に延びている。それら短線４１（直線４１ａ）は、所定の方向（四方）へ所定間隔離間対向して並んでいる。上面板１６に印刷されたシルクスクリーン印刷図画２５ｅを画成するそれら短線４１（直線４１ａ）は、その線太さＬ２や最大高さＬ４が同一であり、その離間寸法Ｌ３が異なる。
【００８４】
シルクスクリーン印刷図画２５ｅを画成する短線４１（直線４１ａ）の長さ寸法Ｌ１の範囲（０．１〜２０ｍｍの範囲、好ましくは、０．５〜１０ｍｍの範囲）、それら短線４１（直線４１ａ）の線太さＬ２の範囲（５〜１５０μｍの範囲、好ましくは、１０〜１００μｍの範囲）、それら短線４１（直線４１ａ）の離間寸法Ｌ３の範囲（３０〜２００μｍの範囲、好ましくは、５０〜１００μｍの範囲）、それら短線４１（直線４１ａ）の最大高さＬ４の範囲（１０〜２００μｍの範囲、好ましくは、２０〜１００のμｍの範囲）は、既述のとおりである。シルクスクリーン印刷図画２５ｅを画成するそれら短線４１（直線４１ａ）の長さ寸法Ｌ１や線太さＬ２、離間寸法Ｌ３、最大高さＬ４が前記範囲にあるから、それら極細の短線４１の集合によって画成されて箱１０の上面板１６に印刷されたシルクスクリーン印刷図画２５ｅを高精細及び繊細で綺麗に表現することができる。
【００８５】
なお、シルクスクリーン印刷図画２５ｅを画成する短線４１（直線４１ａ）の長さ寸法Ｌ１が所定の方向へ向かうにつれて次第に増加していてもよく、それら短線４１（直線４１ａ）の長さ寸法Ｌ１が所定の方向へ向かうにつれて次第に減少していてもよい。また、それら短線４１（直線４１ａ）の長さ寸法Ｌ１が所定の方向へ向かうにつれて次第に増加した後に次第に減少してもよく、それら短線４１（直線４１ａ）の長さ寸法Ｌ１が所定の方向へ向かうにつれて次第に減少した後に次第に増加してもよい。更に、その長さ寸法Ｌ１が所定の方向の一方へ向かうにつれて次第に増加しつつその長さ寸法Ｌ１が所定の方向の他方へ向かうにつれて次第に増加していてもよく、その長さ寸法Ｌ１が所定の方向の一方へ向かうにつれて次第に減少しつつその長さ寸法Ｌ１が所定の方向の他方へ向かうにつれて次第に減少していてもよく、それら短線４１（直線４１ａ）の長さ寸法Ｌ１が所定の方向へ向かって増加と減少とを繰り返してもよい。
【００８６】
上面板１６に印刷されたそれらシルクスクリーン印刷図画２５ｅは、シルクスクリーン印刷図画２５ｅを画成するそれら短線４１（直線４１ａ）が異なる方向へ光を反射することで、見る角度によって見え方が変化するチェンジング効果を有する。上面板１６に印刷されたシルクスクリーン印刷図画２５ｅは、短線４１（直線４１ａ）の長さ寸法Ｌ１の変化（増加や減少）や短線４１（直線４１ａ）どうしの離間寸法Ｌ３の変化（増加や減少）とともに、図１８に示す短線４１（直線４１ａ）の線太さＬ２の変化（増加や減少）と図２０に示す短線４１（直線４１ａ）の最大高さＬ４の変化（増加や減少）とのうちの少なくとも１つの変化（増加や減少）をともなってもよい。
【００８７】
サック箱１０（箱）は、極細の複数の短線４１（直線４１ａ、曲線４１ｂ）の集合によって画成された同一の態様（模様）のシルクスクリーン印刷図２５や極細の複数の短線４１（直線４１ａ、曲線４１ｂ）の集合によって画成された異なる態様（模様）のシルクスクリーン印刷図２５が所定の方向へ並ぶことで、複数のシルクスクリーン印刷図２５（２５ａ〜２５ｅ）が印刷面２７に表現され、それらシルクスクリーン印刷図２５（２５ａ〜２５ｅ）が見る角度によって見え方が変化するチェンジング効果を有するから、箱１０が商品陳列棚や商品陳列ケース等に陳列された場合、箱１０を見る者に好印象を与えることができ、箱１０を見る者を強く引き付けることができる。
【００８８】
サック箱１０（箱）は、その印刷面２７にチェンジング効果を有する複数のシルクスクリーン印刷図画２５（２５ａ〜２５ｅ）が印刷されることで、印刷面２７を目立たせることができ、箱１０に収容された商品の購買意欲を掻き立てることができる。サック箱１０（箱）は、チェンジング効果を有する同一又は異なる態様の複数のシルクスクリーン印刷図画２５（２５ａ〜２５ｅ）とともにオフセット印刷によって印刷されたオフセット印刷図画２４を備え、それらシルクスクリーン印刷図画２５（２５ａ〜２５ｅ）のチェンジング効果による目の錯覚を利用してオフセット印刷図画２４を際立たせることができ、箱１０を見る者にオフセット印刷図画２４を鮮明かつ明確に認識させることができるとともに、箱１０を見る者にオフセット印刷図画２４が示す商品名や会社名等を強く印象付けることができる。
【００８９】
図１４は、オフセット印刷図画２４及びシルクスクリーン印刷図画２５ｆが印刷されたラベル４２の一例を示す図であり、図１５は、ラベル４２に印刷された図１４のシルクスクリーン印刷図画２５ｆの部分拡大図である。ラベル４２（シール）は、粘着面４３及び印刷面４４を有し、粘着面４３を介して所定の箇所に貼付される。図示のラベル４２は、その平面形状が楕円形に成形されているが、ラベル４２の平面形状に特に限定はなく、ラベル４２の平面形状をその用途に応じてあらゆる形状に成形することができる。
【００９０】
ラベル４２の主な用途としては、飲料・食料・酒類・薬等のカップやビンに貼付し、商品の宣伝として使用、製品のパッケージ（箱）に貼付してＰＯＰとして使用、陳列棚やディスプレイに貼付してＰＯＰとして使用、商品表示用、商品銘柄表示用等がある。ラベル４２には、紙系ラベル、合成紙系ラベル、フィルム系ラベルが使用される。紙系ラベルには、上質紙やコート紙、ミラーコートが使用される。合成紙系ラベルには、ポリプロピレン樹脂を主原料とする合成紙やオフセット印刷が可能な合成紙が使用される。フィルム系ラベルには、ＰＥＴフィルムやポリミイドフィルム、ポチエステルアルミ蒸着フィルムが使用される。ラベル４２の印刷面４４は光沢性（金色や無色銀色、有色銀色）又は半光沢性（金色や無色銀色、有色銀色）を有することが好ましい。
【００９１】
オフセット印刷図画２４は、ラベル４２の印刷面４４に印刷され、その周囲がシルクスクリーン印刷図画２５ｆに囲まれ、シルクスクリーン印刷図画２５ｆに囲繞されている。ラベル４２の印刷面４４に印刷されたシルクスクリーン印刷図画２５ｆの印刷面積全域を１００％としたときのラベル４２の印刷面４４に印刷されたオフセット印刷図画２４の印刷面積の割合は、５〜２０％の範囲にある。ラベル４２の印刷面４４に印刷されたオフセット印刷図画２４の印刷面積の割合が５％未満では、オフセット印刷図画２４の印刷面積が少なく、オフセット印刷図画２４を明瞭に表現することができない。ラベル４２の印刷面４４に印刷されたオフセット印刷図画２４の印刷面積の割合が２０％を超過すると、シルクスクリーン印刷図画２５ｆの印刷面積に対するオフセット印刷図画２４の印刷面積が大きく、シルクスクリーン印刷図画２５ｆの中にオフセット印刷図画２４を鮮明に浮き上がらせることができず、オフセット印刷図画２４を明瞭に表現することができない。オフセット印刷図画２４の印刷面積の割合が前記範囲にあるから、シルクスクリーン印刷図画２５ｆを利用してシルクスクリーン印刷図画２５ｆの中にオフセット印刷図画２４を鮮明に浮き上がらせることができ、オフセット印刷図画２４を明瞭に表現することができる。
【００９２】
ラベル４２の略全域の印刷面４４には、所定の方向へ並ぶ異なる態様（模様）の複数のシルクスクリーン印刷図画２５ｆが印刷されている。ラベル４２の印刷面４４に印刷されたシルクスクリーン印刷図画２５の態様（模様）に特に限定はなく、あらゆる態様（方形・三角形・菱形・多角形・円形等の模様、方形・三角形・菱形・多角形・円形等を組み合せた模様）のシルクスクリーン印刷図画２５をラベル４２の印刷面４４に印刷することができる。それらシルクスクリーン印刷図画２５ｆは、任意の方向に延びるとともに所定の方向へ等間隔離間対向（所定間隔離間対向）する複数の短線４１の集合によって画成されている。
【００９３】
ラベル４２の印刷面４４に印刷されたそれらシルクスクリーン印刷図画２５ｆを画成するそれら短線４１は、図１５に示すように、仮想基準線Ｘに対して所定の角度で傾斜する曲線４１ｂであり、それら短線４１（曲線４１ｂ）が交差せずに互いに並行（平行）して延びている。それら短線４１（曲線４１ｂ）は、所定の方向へ等間隔離間対向（所定間隔離間対向）して並んでいる。それら短線４１（曲線４１ｂ）は、その長さ寸法Ｌ１が所定の方向へ向かうにつれて次第に減少している。シルクスクリーン印刷図画２５ｆを画成するそれら短線４１（曲線４１ｂ）は、その線太さＬ２や離間寸法Ｌ３、最大高さＬ４が同一である。
【００９４】
シルクスクリーン印刷図画２５ｆを画成する短線４１（曲線４１ｂ）の長さ寸法Ｌ１の範囲（０．１〜２０ｍｍの範囲、好ましくは、０．５〜１０ｍｍの範囲）、それら短線４１（曲線４１ｂ）の線太さＬ２の範囲（５〜１５０μｍの範囲、好ましくは、１０〜１００μｍの範囲）、それら短線４１（曲線４１ｂ）の離間寸法Ｌ３の範囲（３０〜２００μｍの範囲、好ましくは、５０〜１００μｍの範囲）、それら短線４１（曲線４１ｂ）の最大高さＬ４の範囲（１０〜２００μｍの範囲、好ましくは、２０〜１００のμｍの範囲）は、サック箱１０の短線４１（曲線４１ｂ）のそれらと同一である。
【００９５】
ラベル４２の印刷面４４に印刷されたシルクスクリーン印刷図画２５ｆを画成するそれら短線４１（曲線４１ｂ）の長さ寸法Ｌ１や線太さＬ２、離間寸法Ｌ３、最大高さＬ４が前記範囲にあるから、それら極細の短線４１の集合によって画成されてラベル４２の印刷面４４に印刷されたシルクスクリーン印刷図画２５ｆを高精細及び繊細で綺麗に表現することができるとともに、高精細及び繊細で綺麗に表現されたシルクスクリーン印刷図画２５ｆでオフセット印刷図画２４を囲繞することで、シルクスクリーン印刷図画２５ｆの中にオフセット印刷図画２４を鮮明に浮き上がらせることができ、オフセット印刷図画２４を明瞭に表現することができる。
【００９６】
なお、シルクスクリーン印刷図画２５ｆを画成する短線４１（曲線４１ｂ）の長さ寸法Ｌ１が所定の方向へ向かうにつれて次第に増加していてもよい。また、それら短線４１（曲線４１ｂ）の長さ寸法Ｌ１が所定の方向へ向かうにつれて次第に増加した後に次第に減少してもよく、それら短線４１（曲線４１ｂ）の長さ寸法Ｌ１が所定の方向へ向かうにつれて次第に減少した後に次第に増加してもよい。更に、その長さ寸法Ｌ１が所定の方向の一方へ向かうにつれて次第に増加しつつその長さ寸法Ｌ１が所定の方向の他方へ向かうにつれて次第に増加していてもよく、その長さ寸法Ｌ１が所定の方向の一方へ向かうにつれて次第に減少しつつその長さ寸法Ｌ１が所定の方向の他方へ向かうにつれて次第に減少していてもよく、それら短線４１（曲線４１ｂ）の長さ寸法Ｌ１が所定の方向へ向かって増加と減少とを繰り返してもよい。
【００９７】
ラベル４２の印刷面４４に印刷されたそれらシルクスクリーン印刷図画２５ｆは、シルクスクリーン印刷図画２５ｆを画成するそれら短線４１（曲線４１ｂ）が異なる方向へ光を反射することで、見る角度によって見え方が変化するチェンジング効果を有する。ラベル４２の印刷面４４に印刷されたシルクスクリーン印刷図画２５ｆは、短線４１（曲線４１ｂ）の長さ寸法Ｌ１の変化（増加や減少）とともに、図１８に示す短線４１（曲線４１ｂ）の線太さＬ２の変化（増加や減少）と図１９に示す短線４１（曲線４１ｂ）どうしの離間寸法Ｌ３の変化（増加や減少）と図２０に示す短線４１（曲線４１ｂ）の最大高さＬ４の変化（増加や減少）とのうちの少なくとも１つの変化（増加や減少）をともなってもよい。
【００９８】
ラベル４２は、極細の複数の短線４１（曲線４１ｂ）の集合によって画成された異なる態様（模様）（又は同一の態様（模様））のシルクスクリーン印刷図２５ｆが所定の方向へ並ぶことで、複数のシルクスクリーン印刷図２５ｆが印刷面４４に表現され、それらシルクスクリーン印刷図２５ｆが見る角度によって見え方が変化するチェンジング効果を有するから、ラベル４２がカップやビン、パッケージ（箱）、陳列棚、ディスプレイに貼付された場合、ラベル４２を見る者に好印象を与えることができ、ラベル４２を見る者を強く引き付けることができる。
【００９９】
ラベル４２は、その印刷面４４にチェンジング効果を有する複数のシルクスクリーン印刷図画２５ｆが印刷されることで、印刷面４４を目立たせることができ、ラベル４２が示す商品の購買意欲を掻き立てることができる。ラベル４２は、チェンジング効果を有する異なる態様（模様）（又は同一の態様（模様））の複数のシルクスクリーン印刷図画２５ｆとともにオフセット印刷によって印刷されたオフセット印刷図画２４を備え、それらシルクスクリーン印刷図画２５ｆのチェンジング効果による目の錯覚を利用してオフセット印刷図画２４を際立たせることができ、ラベル４２を見る者にオフセット印刷図画２４を鮮明かつ明確に認識させることができるとともに、ラベル４２を見る者にオフセット印刷図画２４が示す商品名や会社名等を強く印象付けることができる。
【０１００】
図１６は、オフセット印刷図画２４及びシルクスクリーン印刷図画２５ｇが印刷された台紙４５の一例を示す図であり、図１７は、台紙４５に印刷された図１６のシルクスクリーン印刷図画２５ｇの部分拡大図である。台紙４５は、ブリスターやシュリンクフィルム、クリアーケース等の包材に利用され、包材の一部として使用される。図示の台紙４５は、その平面形状が方形に成形されているが、台紙４５の平面形状に特に限定はなく、台紙４５の平面形状をその用途に応じてあらゆる形状に成形することができる。台紙４５の材質は、既述の箱１０のそれと同一である。台紙４５には、各種表面加工（プレスコートやＵＶコート、フィルムコート）が施される場合がある。台紙４５の印刷面４４（台紙４５の片面又は両面）は光沢性（金色や無色銀色、有色銀色）又は半光沢性（金色や無色銀色、有色銀色）を有することが好ましい。なお、台紙４５の材質に特に限定はなく、台紙４５の材質には現在使用されているもののみならず、将来使用されるあらゆる材質が含まれる。
【０１０１】
オフセット印刷図画２４は、台紙４５の印刷面４４に印刷され、その周囲がシルクスクリーン印刷図画２５ｇに囲まれ、シルクスクリーン印刷図画２５ｇに囲繞されている。台紙４５の印刷面４４に印刷されたシルクスクリーン印刷図画２５ｇの印刷面積全域を１００％としたときの台紙４５の印刷面４４に印刷されたオフセット印刷図画２４の印刷面積の割合は、５〜２０％の範囲にある。台紙４５の印刷面４４に印刷されたオフセット印刷図画２４の印刷面積の割合が５％未満では、オフセット印刷図画２４の印刷面積が少なく、オフセット印刷図画２４を明瞭に表現することができない。台紙４５の印刷面４４に印刷されたオフセット印刷図画２４の印刷面積の割合が２０％を超過すると、シルクスクリーン印刷図画２５ｇの印刷面積に対するオフセット印刷図画２４の印刷面積が大きく、シルクスクリーン印刷図画２５ｇの中にオフセット印刷図画２４を鮮明に浮き上がらせることができず、オフセット印刷図画２４を明瞭に表現することができない。オフセット印刷図画２４の印刷面積の割合が前記範囲にあるから、シルクスクリーン印刷図画２５ｇを利用してシルクスクリーン印刷図画２５ｇの中にオフセット印刷図画２４を鮮明に浮き上がらせることができ、オフセット印刷図画２４を明瞭に表現することができる。
【０１０２】
台紙４５の略全域の印刷面４４には、所定の方向（任意の方向と交差する方向）へ並ぶ異なる態様（模様）の複数のシルクスクリーン印刷図画２５ｇが印刷されている。台紙４５の印刷面４４に印刷されたシルクスクリーン印刷図画２５ｇの態様（模様）に特に限定はなく、あらゆる態様（方形・三角形・菱形・多角形・円形等の模様、方形・三角形・菱形・多角形・円形等を組み合せた模様）のシルクスクリーン印刷図画２５ｇを台紙４５の印刷面４４に印刷することができる。それらシルクスクリーン印刷図画２５ｇは、任意の方向に延びるとともに所定の方向へ等間隔離間対向（所定間隔離間対向）する複数の短線４１の集合によって画成されている。
【０１０３】
台紙４５の印刷面４４（片面又は両面）に印刷されたそれらシルクスクリーン印刷図画２５ｇを画成するそれら短線４１は、図１７に示すように、仮想基準線Ｘに対して所定の角度で傾斜する曲線４１ｂであり、それら短線４１（曲線４１ｂ）が交差せずに互いに並行（平行）して延びている。それら短線４１（曲線４１ｂ）は、所定の方向へ等間隔離間対向（所定間隔離間対向）して並んでいる。それら短線４１（曲線４１ｂ）は、その長さ寸法Ｌ１が所定の方向の一方へ向かうにつれて次第に減少しつつその長さ寸法Ｌ１が所定の方向の他方へ向かうにつれて次第に減少している。台紙４５の印刷面４４に印刷されたシルクスクリーン印刷図画２５ｇを画成するそれら短線４１（曲線４１ｂ）は、その線太さＬ２や離間寸法Ｌ３、最大高さＬ４が同一である。
【０１０４】
シルクスクリーン印刷図画２５ｇを画成する短線４１（曲線４１ｂ）の長さ寸法Ｌ１の範囲（０．１〜２０ｍｍの範囲、好ましくは、０．５〜１０ｍｍの範囲）、それら短線４１（曲線４１ｂ）の線太さＬ２の範囲（５〜１５０μｍの範囲、好ましくは、１０〜１００μｍの範囲）、それら短線４１（曲線４１ｂ）の離間寸法Ｌ３の範囲（３０〜２００μｍの範囲、好ましくは、５０〜１００μｍの範囲）、それら短線４１（曲線４１ｂ）の最大高さＬ４の範囲（１０〜２００μｍの範囲、好ましくは、２０〜１００のμｍの範囲）は、サック箱１０の短線４１（曲線４１ｂ）のそれらと同一である。
【０１０５】
台紙４５の印刷面４４に印刷されたシルクスクリーン印刷図画２５ｇを画成するそれら短線４１（曲線４１ｂ）の長さ寸法Ｌ１や線太さＬ２、離間寸法Ｌ３、最大高さＬ４が前記範囲にあるから、それら極細の短線４１（曲線４１ｂ）の集合によって画成されて台紙４５の印刷面４４に印刷された一方のシルクスクリーン印刷図画２５ｇを高精細及び繊細で綺麗に表現することができるとともに、高精細及び繊細で綺麗に表現されたシルクスクリーン印刷図画２５ｇでオフセット印刷図画２４を囲繞することで、シルクスクリーン印刷図画２５ｇの中にオフセット印刷図画２４を鮮明に浮き上がらせることができ、オフセット印刷図画２４を明瞭に表現することができる。
【０１０６】
なお、シルクスクリーン印刷図画２５ｇを画成するそれら短線４１（曲線４１ｂ）の長さ寸法Ｌ１が所定の方向へ向かうにつれて次第に増加していてもよく、それら短線４１（曲線４１ｂ）の長さ寸法Ｌ１が所定の方向へ向かうにつれて次第に減少していてもよい。また、それら短線４１（曲線４１ｂ）の長さ寸法Ｌ１が所定の方向へ向かうにつれて次第に増加した後に次第に減少してもよく、それら短線４１（曲線４１ｂ）の長さ寸法Ｌ１が所定の方向へ向かうにつれて次第に減少した後に次第に増加してもよい。更に、その長さ寸法Ｌ１が所定の方向の一方へ向かうにつれて次第に増加しつつその長さ寸法Ｌ１が所定の方向の他方へ向かうにつれて次第に増加していてもよく、それら短線４１（曲線４１ｂ）の長さ寸法Ｌ１が所定の方向へ向かって増加と減少とを繰り返してもよい。
【０１０７】
台紙４５の印刷面４４に印刷されたそれらシルクスクリーン印刷図画２５ｇは、シルクスクリーン印刷図画２５ｇを画成するそれら短線４１（曲線４１ｂ）が異なる方向へ光を反射することで、見る角度によって見え方が変化するチェンジング効果を有する。台紙４５の印刷面４４に印刷されたシルクスクリーン印刷図画２５ｇは、短線４１（曲線４１ｂ）の長さ寸法Ｌ１の変化（増加や減少）とともに、図１８に示す短線４１（曲線４１ｂ）の線太さＬ２の変化（増加や減少）と図１９に示す短線４１（曲線４１ｂ）どうしの離間寸法Ｌ３の変化（増加や減少）と図２０に示す短線４１（曲線４１ｂ）の最大高さＬ４の変化（増加や減少）とのうちの少なくとも１つの変化（増加や減少）をともなってもよい。
【０１０８】
台紙４５は、極細の複数の短線４１（曲線４１ｂ）の集合によって画成された異なる態様（模様）（又は同一の態様（模様））のシルクスクリーン印刷図２５ｇが所定の方向へ並ぶことで、複数のシルクスクリーン印刷図２５ｇが印刷面４４に表現され、それらシルクスクリーン印刷図２５ｇが見る角度によって見え方が変化するチェンジング効果を有するから、台紙４５がブリスターやシュリンクフィルム、クリアーケース等の包材に利用され、包材の一部として使用された場合、台紙４５を見る者に好印象を与えることができ、台紙４５を見る者を強く引き付けることができる。
【０１０９】
台紙４５は、その印刷面４４にチェンジング効果を有する複数のシルクスクリーン印刷図画２５ｇが印刷されることで、印刷面４４を目立たせることができ、台紙４５が示す商品の購買意欲を掻き立てることができる。台紙４５は、チェンジング効果を有する異なる態様（模様）（又は同一の態様（模様））の複数のシルクスクリーン印刷図画２５ｇとともにオフセット印刷によって印刷されたオフセット印刷図画２４を備え、それらシルクスクリーン印刷図画２５ｇのチェンジング効果による目の錯覚を利用してオフセット印刷図画２４を際立たせることができ、台紙４５を見る者にオフセット印刷図画２４を鮮明かつ明確に認識させることができるとともに、台紙４５を見る者にオフセット印刷図画２４が示す商品名や会社名等を強く印象付けることができる。
【０１１０】
図１８は、他の一例として示すシルクスクリーン印刷図画２５ｈの部分拡大図である。図１８に示すシルクスクリーン印刷図画２５ｈは、オフセット印刷図画とともに箱１０の正面板１１や背面板１２、第１及び第２側面板１３，１４、上面板１６に印刷され、又は、オフセット印刷図画とともにラベル４２や台紙４５の印刷面４４に印刷される。オフセット印刷図画は、箱１０やラベル４２、台紙４５の印刷面２７，４４に印刷され、その周囲がシルクスクリーン印刷図画２５ｈに囲まれ、シルクスクリーン印刷図画２５ｈに囲繞される。
【０１１１】
シルクスクリーン印刷図画２６ｈは、それを画成する短線４１（曲線４１ｂ（又は直線４１ａ））の線太さＬ２が所定の方向であって一方へ向かうにつれて次第に増加した後、短線４１（曲線４１ｂ（又は直線４１ａ））の線太さＬ２が一方へ向かうにつれて次第に減少している。短線４１（曲線４１ｂ（又は直線４１ａ））の太さＬ２は、５〜１５０μｍの範囲、好ましくは、１０〜１００μｍの範囲にある。シルクスクリーン印刷図画２５ｈを画成するそれら短線４１（曲線４１ｂ（又は直線４１ａ））は、長さ寸法が異なり、離間寸法Ｌ３や最大高さＬ４が同一である。それら短線４１（曲線４１ｂ（又は直線４１ａ））の長さ寸法Ｌ１の範囲（０．１〜２０ｍｍの範囲、好ましくは、０．５〜１０ｍｍの範囲）、それら短線４１（曲線４１ｂ（又は直線４１ａ））の離間寸法Ｌ３の範囲（３０〜２００μｍの範囲、好ましくは、５０〜１００μｍの範囲）、それら短線４１（曲線４１ｂ（又は直線４１ａ））の最大高さＬ４の範囲（１０〜２００μｍの範囲、好ましくは、２０〜１００のμｍの範囲）は、既述のとおりである。図１８に示すシルクスクリーン印刷図画２５ｈは、シルクスクリーン印刷図画２５ｈを画成するそれら短線４１（曲線４１ｂ（又は直線４１ａ））が異なる方向へ光を反射することで、見る角度によって見え方が変化する優れたチェンジング効果を有する。
【０１１２】
図１８に示すシルクスクリーン印刷図画２５ｈを画成するそれら短線４１（曲線４１ｂ（又は直線４１ａ））の長さ寸法Ｌ１や線太さＬ２、離間寸法Ｌ３、最大高さＬ４が前記範囲にあり、短線４１（曲線４１ｂ（又は直線４１ａ））の線太さＬ２が所定の方向であって一方へ向かうにつれて次第に増加又は減少するから、それら極細の短線４１（曲線４１ｂ（又は直線４１ａ））の集合によって画成されたシルクスクリーン印刷図画２５ｈを高精細及び繊細で綺麗に表現することができるとともに、シルクスクリーン印刷図画２５ｈの中にオフセット印刷図画が印刷された場合、高精細及び繊細で綺麗に表現されたシルクスクリーン印刷図画２５ｈでオフセット印刷図画を囲繞することで、シルクスクリーン印刷図画２５ｈの中にオフセット印刷図画を鮮明に浮き上がらせることができ、オフセット印刷図画を明瞭に表現することができる。
【０１１３】
なお、シルクスクリーン印刷図画２５ｈを画成する短線４１（曲線４１ｂ（又は直線４１ａ））の線太さＬ２が所定の方向へ向かって次第に増加し、又は、次第に減少してもよく、短線４１（曲線４１ｂ（又は直線４１ａ））の線太さＬ２が所定の方向へ向かって増加と減少とを繰り返してもよい。また、シルクスクリーン印刷図画２５ｇは、短線４１（曲線４１ｂ（又は直線４１ａ））の線太さＬ２の変化（増加や減少）とともに、短線４１（曲線４１ｂ（又は直線４１ａ））の長さ寸法Ｌ１の変化（増加や減少）と図１９に示す短線４１（曲線４１ｂ（又は直線４１ａ））どうしの離間寸法Ｌ３の変化（増加や減少）と図２０に示す短線４１（曲線４１ｂ（又は直線４１ａ））の最大高さＬ４の変化（増加や減少）とのうちの少なくとも１つの変化（増加や減少）をともなってもよい。
【０１１４】
図１８のシルクスクリーン印刷図画２５ｈが印刷された箱１０やラベル４２、台紙４５は、それら短線４１（曲線４１ｂ（又は直線４１ａ））の線太さＬ２を所定の方向へ向かうにつれて次第に増加させ又は次第に減少させることで、それら極細の短線４１（曲線４１ｂ（又は直線４１ａ））の集合によって画成されたシルクスクリーン印刷図画２５ｈが高精細及び繊細で綺麗かつ斬新に表現され、それら短線４１（曲線４１ｂ（又は直線４１ａ））の集合によって画成されたシルクスクリーン印刷図画２５ｈが優れたチェンジング効果を発現し、箱１０やラベル４２、台紙４５を見る者に好印象を与えることができ、箱１０やラベル４２、台紙４５を見る者を確実に引き付けることができる。
【０１１５】
図１８のシルクスクリーン印刷図画２５ｈが印刷された箱１０やラベル４２、台紙４５は、短線４１（曲線４１ｂ（又は直線４１ａ））の線太さＬ２を次第に増加させ又は次第に減少させることによって優れたチェンジング効果を発現するシルクスクリーン印刷図画２５ｈがその印刷面２７，４４に印刷されることで、印刷面２７，４４を目立たせることができ、箱１０に収容された商品やラベル４２が示す商品、台紙４５が示す商品の購買意欲を掻き立てることができる。図１８のシルクスクリーン印刷図画２５ｈが印刷された箱１０やラベル４２、台紙４５は、シルクスクリーン印刷図画２５ｈの優れたチェンジング効果による目の錯覚を利用してオフセット印刷図画を際立たせることができ、箱１０やラベル４２、台紙４５を見る者にオフセット印刷図画を鮮明かつ明確に認識させることができるとともに、箱１０やラベル４２、台紙４５を見る者にオフセット印刷図画が示す商品名や会社名等を強く印象付けることができる。
【０１１６】
図１９は、他の一例として示すシルクスクリーン印刷図画２５ｉの部分拡大図である。図１９に示すシルクスクリーン印刷図画２５ｉは、オフセット印刷図画とともに箱１０の正面板１１や背面板１２、第１及び第２側面板１３，１４、上面板１６に印刷され、又は、オフセット印刷図画とともにラベル４２や台紙４５の印刷面４４に印刷される。オフセット印刷図画は、箱１０やラベル４２、台紙４５の印刷面２７，４４に印刷され、その周囲がシルクスクリーン印刷図画２５ｉに囲まれ、シルクスクリーン印刷図画２５ｉに囲繞される。
【０１１７】
シルクスクリーン印刷図画２５ｉは、それを画成する短線４１（曲線４１ｂ（又は直線４１ａ））どうしの離間寸法Ｌ３が所定の方向であって一方へ向かうにつれて次第に増加し、短線４１（曲線４１ｂ（又は直線４１ａ））どうしの離間寸法Ｌ３が所定の方向であって他方へ向かうにつれて次第に減少している。短線４１（曲線４１ｂ（又は直線４１ａ））どうしの離間寸法は、３０〜２００μｍの範囲、好ましくは、５０〜１００μｍの範囲にある。シルクスクリーン印刷図画２６ｉを画成するそれら短線４１（曲線４１ｂ（又は直線４１ａ））は、長さ寸法Ｌ１が異なり、線太さＬ２や最大高さＬ４が同一である。それら短線４１（曲線４１ｂ（又は直線４１ａ））の長さ寸法Ｌ１の範囲（０．１〜２０ｍｍの範囲、好ましくは、０．５〜１０ｍｍの範囲）、それら短線４１（曲線４１ｂ（又は直線４１ａ））の線太さＬ２の範囲（５〜１５０μｍの範囲、好ましくは、１０〜１００μｍの範囲）、それら短線４１（曲線４１ｂ（又は直線４１ａ））の最大高さＬ４の範囲（１０〜２００μｍの範囲、好ましくは、２０〜１００のμｍの範囲）は、既述のとおりである。図１９に示すシルクスクリーン印刷図画２５ｉは、シルクスクリーン印刷図画２５ｉを画成するそれら短線４１（曲線４１ｂ（又は直線４１ａ））が異なる方向へ光を反射することで、見る角度によって見え方が変化する優れたチェンジング効果を有する。
【０１１８】
図１９に示すシルクスクリーン印刷図画２５ｉを画成するそれら短線４１（曲線４１ｂ（又は直線４１ａ））の長さ寸法Ｌ１や線太さＬ２、離間寸法Ｌ３、最大高さＬ４が前記範囲にあり、短線４１（曲線４１ｂ（又は直線４１ａ））どうしの離間寸法Ｌ３が所定の方向であって一方へ向かうにつれて次第に増加又は減少するから、それら極細の短線４１（曲線４１ｂ（又は直線４１ａ））の集合によって画成されたシルクスクリーン印刷図画２５ｉを高精細及び繊細で綺麗に表現することができるとともに、シルクスクリーン印刷図画２５ｉの中にオフセット印刷図画が印刷された場合、高精細及び繊細で綺麗に表現されたシルクスクリーン印刷図画２５ｉでオフセット印刷図画を囲繞することで、シルクスクリーン印刷図画２５ｉの中にオフセット印刷図画を鮮明に浮き上がらせることができ、オフセット印刷図画を明瞭に表現することができる。
【０１１９】
なお、シルクスクリーン印刷図画２５ｉを画成する短線４１（曲線４１ｂ（又は直線４１ａ））どうしの離間寸法Ｌ２が所定の方向へ向かって次第に増加し、又は、次第に減少してもよく、短線４１（曲線４１ｂ（又は直線４１ａ））どうしの離間寸法Ｌ３が所定の方向へ向かって増加と減少とを繰り返してもよい。また、シルクスクリーン印刷図画２５ｉは、短線４１（曲線４１ｂ（又は直線４１ａ））どうしの離間寸法Ｌ３の変化（増加や減少）とともに、短線４１（曲線４１ｂ（又は直線４１ａ））の長さ寸法Ｌ１の変化（増加や減少）と図１８に示す短線４１（曲線４１ｂ（又は直線４１ａ））の線太さＬ２の変化（増加や減少）と図２０に示す短線４１（曲線４１ｂ（又は直線４１ａ））の最大高さＬ４の変化（増加や減少）とのうちの少なくとも１つの変化（増加や減少）をともなってもよい。
【０１２０】
図１９のシルクスクリーン印刷図画２５ｉが印刷された箱１０やラベル４２、台紙４５は、それら短線４１（曲線４１ｂ（又は直線４１ａ））どうしの離間寸法Ｌ３を所定の方向へ向かうにつれて次第に増加させ又は次第に減少させることで、それら極細の短線４１（曲線４１ｂ（又は直線４１ａ））の集合によって画成されたシルクスクリーン印刷図画２５ｉが高精細及び繊細で綺麗かつ斬新に表現され、それら短線４１（曲線４１ｂ（又は直線４１ａ））の集合によって画成されたシルクスクリーン印刷図画２５ｉが優れたチェンジング効果を発現し、箱１０やラベル４２、台紙４５を見る者に好印象を与えることができ、箱１０やラベル４２、台紙４５を見る者を確実に引き付けることができる。
【０１２１】
図１９のシルクスクリーン印刷図画２５ｉが印刷された箱１０やラベル４２、台紙４５は、短線４１（曲線４１ｂ（又は直線４１ａ））どうしの離間寸法Ｌ３を次第に増加させ又は次第に減少させることによって優れたチェンジング効果を発現するシルクスクリーン印刷図画２５ｉがその印刷面２７，４４に印刷されることで、印刷面２７，４４を目立たせることができ、箱１０に収容された商品やラベル４２が示す商品、台紙４５が示す商品の購買意欲を掻き立てることができる。図１９のシルクスクリーン印刷図画２５ｉが印刷された箱１０やラベル４２、台紙４５は、シルクスクリーン印刷図画２５ｉの優れたチェンジング効果による目の錯覚を利用してオフセット印刷図画を際立たせることができ、箱１０やラベル４２、台紙４５を見る者にオフセット印刷図画を鮮明かつ明確に認識させることができるとともに、箱１０やラベル４２、台紙４４を見る者にオフセット印刷図画が示す商品名や会社名等を強く印象付けることができる。
【０１２２】
図２０は、他の一例として示すシルクスクリーン印刷図画２５ｊの部分拡大図である。図２０に示すシルクスクリーン印刷図画２５ｊは、オフセット印刷図画とともに箱１０も正面板１１や背面板１２、第１及び第２側面板１３，１４、上面板１６に印刷され、又は、オフセット印刷図画とともにラベル４２や台紙４５の印刷面４４に印刷される。オフセット印刷図画は、箱１０やラベル４２、台紙４５の印刷面２７，４４に印刷され、その周囲がシルクスクリーン印刷図画２５ｊに囲まれ、シルクスクリーン印刷図画２５ｊに囲繞される。
【０１２３】
シルクスクリーン印刷図画２５ｊは、それを画成する短線４１（直線４１ａ、曲線４１ｂ）の最大高さＬ４が所定の方向であって一方へ向かうにつれて次第に増加し、短線４１（直線４１ａ、曲線４１ｂ）の最大高さＬ４が所定の方向であって他方へ向かうにつれて次第に減少している。短線４１（直線４１ａ、曲線４１ｂ）の最大高さＬ４は、１０〜２００μｍの範囲、好ましくは、２０〜１００のμｍの範囲にある。シルクスクリーン印刷図画２５ｊを画成するそれら短線４１（直線４１ａ、曲線４１ｂ）は、長さ寸法Ｌ１や線太さＬ２、離間寸法Ｌ３が同一である。それら短線４１（直線４１ａ、曲線４１ｂ）の長さ寸法Ｌ１の範囲（０．１〜２０ｍｍの範囲、好ましくは、０．５〜１０ｍｍの範囲）、それら短線４１（直線４１ａ、曲線４１ｂ）の線太さＬ２の範囲（５〜１５０μｍの範囲、好ましくは、１０〜１００μｍの範囲）、それら短線４１（直線４１ａ、曲線４１ｂ）の離間寸法Ｌ３の範囲（３０〜２００μｍの範囲、好ましくは、５０〜１００μｍの範囲）は、既述のとおりである。図２０に示すシルクスクリーン印刷図画２５ｊは、シルクスクリーン印刷図画２５ｊを画成するそれら短線４１（直線４１ａ、曲線４１ｂ）が異なる方向へ光を反射することで、見る角度によって見え方が変化する優れたチェンジング効果を有する。
【０１２４】
図２０に示すシルクスクリーン印刷図画２５ｊを画成するそれら短線４１（直線４１ａ、曲線４１ｂ）の長さ寸法Ｌ１や線太さＬ２、離間寸法Ｌ３、最大高さＬ４が前記範囲にあり、短線４１（直線４１ａ、曲線４１ｂ）の最大高さＬ４が所定の方向へ向かうにつれて次第に増加又は減少するから、それら極細の短線４１（直線４１ａ、曲線４１ｂ）の集合によって画成されたシルクスクリーン印刷図画２５ｊを高精細及び繊細で綺麗に表現することができるとともに、シルクスクリーン印刷図画２５ｊの中にオフセット印刷図画が印刷された場合、高精細及び繊細で綺麗に表現されたシルクスクリーン印刷図画２６ｊでオフセット印刷図画を囲繞することで、シルクスクリーン印刷図画２５ｊの中にオフセット印刷図画を鮮明に浮き上がらせることができ、オフセット印刷図画を明瞭に表現することができる。
【０１２５】
なお、シルクスクリーン印刷図画２５ｊを画成する短線４１（直線４１ａ、曲線４１ｂ）の最大高さＬ４が所定の方向へ向かって次第に増加し、又は、次第に減少してもよく、短線４１（直線４１ａ、曲線４１ｂ）の最大高さＬ４が所定の方向へ向かって増加と減少とを繰り返してもよい。また、シルクスクリーン印刷図画２５ｊは、短線４１（直線４１ａ、曲線４１ｂ）の最大高さＬ４の変化（増加又は減少）とともに、短線４１（直線４１ａ、曲線４１ｂ）の長さ寸法Ｌ１の変化（増加又は減少）と図１８に示す短線４１（直線４１ａ、曲線４１ｂ）どうしの離間寸法Ｌ２の変化（増加又は減少）と図１９に示す短線４１（直線４１ａ、曲線４１ｂ）の線太さＬ３の変化（増加又は減少）とのうちの少なくとも１つの変化（増加又は減少）をともなってもよい。
【０１２６】
図２０のシルクスクリーン印刷図画２５ｊが印刷された箱１０やラベル４２、台紙４５は、それら短線４１（直線４１ａ、曲線４１ｂ）の最大高さＬ４を所定の方向へ向かうにつれて次第に増加させ又は次第に減少させることで、それら極細の短線４１（直線４１ａ、曲線４１ｂ）の集合によって画成されたシルクスクリーン印刷図画２５ｊが高精細及び繊細で綺麗かつ斬新に表現され、それら短線４１（直線４１ａ、曲線４１ｂ）の集合によって画成されたシルクスクリーン印刷図画２５ｊが優れたチェンジング効果を発現し、箱１０やラベル４２、台紙４５を見る者に好印象を与えることができ、箱１０やラベル４２、台紙４５を見る者を確実に引き付けることができる。
【０１２７】
図２０のシルクスクリーン印刷図画２５ｊが印刷された箱１０やラベル４２、台紙４５は、短線４１（直線４１ａ、曲線４１ｂ）の最大高さＬ４を次第に増加させ又は次第に減少させることによって優れたチェンジング効果を発現するシルクスクリーン印刷図画２５ｊがその印刷面２７，４４に印刷されることで、印刷面２７，４４を目立たせることができ、箱１０に収容された商品やラベル４２が示す商品、台紙４５が示す商品の購買意欲を掻き立てることができる。図２０のシルクスクリーン印刷図画２５ｊが印刷された箱１０やラベル４２、台紙４５は、シルクスクリーン印刷図画２５ｊの優れたチェンジング効果による目の錯覚を利用してオフセット印刷図画を際立たせることができ、箱１０やラベル４２、台紙４５を見る者にオフセット印刷図画を鮮明かつ明確に認識させることができるとともに、箱１０やラベル４２、台紙４５を見る者にオフセット印刷図画が示す商品名や会社名等を強く印象付けることができる。
【符号の説明】
【０１２８】
１０    サック箱（箱）
１１    正面板（正面パネル）
１２    背面板（背面パネル）
１３    第１側面板（第１側面パネル）
１４    第２側面板（第２側面パネル）
１５    連接板（連接パネル）
１６    上面板（上面パネル）
１７    下面板（下面パネル）
１８    第１フラップ
１９    第２フラップ
２０    第３フラップ
２１    第４フラップ
２２    第１差し込みフラップ
２３    第２差し込みフラップ
２４    オフセット印刷図画
２５    シルクスクリーン印刷図画
２５ａ〜２５ｊ  シルクスクリーン印刷図画
２６    箱用ブランク
２７    印刷面
２８    商品収容スペース
２９    側縁
３０    側縁
３１    側縁
３２    側縁
３３    上端縁
３４    下端縁
３５    上端縁
３６    上端縁
３７    下端縁
３８    下端縁
３９    端縁
４０    端縁
４１    短線
４１ａ  直線
４１ｂ  曲線
４２    ラベル
４３    粘着面
４４    印刷面
４５    台紙
【図１】
2020104297.tif 000003
【図２】
2020104297.tif 000004
【図３】
2020104297.tif 000005
【図４】
2020104297.tif 000006
【図５】
2020104297.tif 000007
【図６】
2020104297.tif 000008
【図７】
2020104297.tif 000009
【図８】
2020104297.tif 000010
【図９】
2020104297.tif 000011
【図１０】
2020104297.tif 000012
【図１１】
2020104297.tif 000013
【図１２】
2020104297.tif 000014
【図１３】
2020104297.tif 000015
【図１４】
2020104297.tif 000016
【図１５】
2020104297.tif 000017
【図１６】
2020104297.tif 000018
【図１７】
2020104297.tif 000019
【図１８】
2020104297.tif 000020
【図１９】
2020104297.tif 000021
【図２０】
2020104297.tif 000022